(57)【特許請求の範囲】
【請求項１】
ユーザ装置（ＵＥ）の方法であって、
前記ＵＥからセルの第１のグループへの送信のための第１の送信電力及び前記ＵＥからセルの第２のグループへの送信のための第２の送信電力に対する情報を確認するステップと、
前記セルの第１のグループと前記セルの第２のグループとのうちの少なくとも一つに、前記情報に基づいてデータを送信するステップと、を含み、
前記第１の送信電力は、前記ＵＥに対する最大送信電力と前記第２の送信電力との間の差により決定され、
前記第２の送信電力は、上位階層シグナリングを通して受信されるスケーリングファクターに基づいて決定される
ことを特徴とする方法。
【請求項２】
前記第１の送信電力は、前記ＵＥが物理ＵＬ共有チャネル（ＰＵＳＣＨ）を前記セルの第１のグループに送信するための電力を含む
ことを特徴とする請求項１に記載の方法。
【請求項３】
前記スケーリングファクターは、前記ＵＥが前記セルの第２のグループに送信するために使用可能な最小電力を保障する
ことを特徴とする請求項１に記載の方法。
【請求項４】
前記第２の送信電力は、計算された電力と前記最小電力とのうちの小さいものにより決定され、前記計算された電力は、前記セルの第２のグループへの送信に要求される電力である
ことを特徴とする請求項３に記載の方法。
【請求項５】
ユーザ装置（ＵＥ）であって、
前記ＵＥからセルの第１のグループへの送信のための第１の送信電力及び前記ＵＥからセルの第２のグループへの送信のための第２の送信電力に対する情報を確認するように構成された制御器と、
前記セルの第１のグループと前記セルの第２のグループとのうちの少なくとも一つに、前記情報に基づいてデータを送信するように構成された送信器と、を含み、
前記第１の送信電力は、前記ＵＥに対する最大送信電力と前記第２の送信電力との間の差により決定され、
前記第２の送信電力は、上位階層シグナリングを通して受信されるスケーリングファクターに基づいて決定される
ことを特徴とするＵＥ。
【請求項６】
前記第１の送信電力は、前記ＵＥが物理ＵＬ共有チャネル（ＰＵＳＣＨ）を前記セルの第１のグループに送信するための電力を含む
ことを特徴とする請求項５に記載のＵＥ。
【請求項７】
前記スケーリングファクターは、前記ＵＥが前記セルの第２のグループに送信するために使用可能な最小電力を保障する
ことを特徴とする請求項５に記載のＵＥ。
【請求項８】
前記第２の送信電力は、計算された電力と前記最小電力とのうちの小さいものにより決定され、前記計算された電力は、前記セルの第２のグループへの送信に要求される電力である
ことを特徴とする請求項７に記載のＵＥ。
【発明の詳細な説明】
【技術分野】
【０００１】
本出願は、一般的に、無線通信に関し、より詳細には、デュアル接続動作の時のアップリンク送信に関する。
【背景技術】
【０００２】
無線通信は、近代史のもっとも成功的な革新の中の１つであった。最近では、無線通信サービスの加入者の数は、五十億を越え、引き続き速く増加している。スマートフォン、及びタブレット、“ノートパッド”コンピュータ、ネットブック、及び電子ブックリーダ、及びマシンタイプの装置のような他のモバイルデータ装置の消費者と事業者との間での増加する人気により、無線データトラフィックに対する需要が急速に増加している。モバイルデータトラフィックの速い増加に充足し、新たなアプリケーション及び配置をサポートするために、無線インターフェースの効率性及びカバレッジでの改善がなによりも重要である。
【発明の概要】
【発明が解決しようとする課題】
【０００３】
本発明の実施形態は、少なくとも上述した問題点及び／又は不都合に取り組み、少なくとも以下の利便性を提供することにある。すなわち、本開示の実施形態は、デュアル接続動作の時のユーザ装置（ＵＥ）からの送信をサポートするための方法及び装置を提供することにある。
【課題を解決するための手段】
【０００４】
上記のような目的を達成するために、第１の実施形態において、方法は、第１の基地局により、ＵＥから上記第１の基地局への送信のための最大ＵＥ送信電力の第１の比率及びＵＥから第２の基地局への送信のための最大ＵＥ送信電力の第２の比率を決定するステップを含む。また、上記方法は、上記第１の基地局により、上記最大ＵＥ送信電力の第１の比率及び上記最大ＵＥ送信電力の第２の比率を上記ＵＥにシグナリングするステップを含む。
【０００５】
第２の実施形態において、基地局は、制御器及び送信器を含む。上記制御器は、ＵＥの送信器アンテナのセットから第１のサブセットの送信器アンテナを決定するように構成される。上記送信器は、上記ＵＥが上記基地局及び第２の基地局と通信するようにする構成、及び上記ＵＥが上記基地局への送信のために上記第１のサブセットの送信器アンテナを使用するようにする指示を上記ＵＥに送信するように構成される。
【０００６】
第３の実施形態において、ユーザ装置（ＵＥ）は、受信器及び送信器を含む。上記受信器は、第１の基地局及び第２の基地局と通信するための構成及び上記第１の基地局への送信のために送信器アンテナのセットから第１のサブセットの送信器アンテナを使用するようにする指示を受信するように構成される。上記送信器は、上記第１のサブセットの送信器アンテナを用いて上記第１の基地局に送信し、上記送信器アンテナのセットから上記第１のサブセットの送信器アンテナに属しない送信器アンテナを用いて上記第２の基地局に送信するように構成される。
【０００７】
第４の実施形態において、基地局は、制御器及び送信器を含む。上記制御器は、ＵＥから上記基地局への送信のための最大ＵＥ送信電力の第１の比率及び上記ＵＥから第２の基地局への送信のための上記最大ＵＥ送信電力の第２の比率を決定するように構成される。上記送信器は、上記最大ＵＥ送信電力の第１の比率及び上記最大ＵＥ送信電力の第２の比率を上記ＵＥに送信するように構成される。
【０００８】
第５の実施形態において、ユーザ装置（ＵＥ）は、受信器及び送信器を含む。上記受信器は、第１の基地局と第２の基地局との通信のための構成及び上記ＵＥから上記第１の基地局への送信のための最大ＵＥ送信電力の第１の比率及び上記ＵＥから第２の基地局への送信のための上記最大ＵＥ送信電力の第２の比率を受信するように構成される。上記送信器は、上記第１の基地局及び上記第２の基地局に送信するように構成される。１つのサブフレーム（ＳＦ）の送信時間間隔の間に、上記ＵＥが上記第１の基地局への送信電力を減少させるか又は上記第２の基地局への送信電力を減少させる場合に、上記ＵＥは、上記ＳＦ内で上記第１の基地局への送信電力を上記最大ＵＥ送信電力の第１の比率以下に減少させず、あるいは、ＵＥが上記ＳＦ内で上記第２の基地局への送信電力を上記最大ＵＥ送信電力の第２の比率以下に減少させない。
【０００９】
本発明を詳細に説明するのに先立って、本明細書の全般にわたって使用される特定の単語及び語句の定義を説明することが好ましい。“接続（結合）する”という語句だけではなく、その派生語は、２以上の構成要素が相互に物理的な接触状態にあるか否か、それら間の任意の直接的であるか又は間接的な通信を称する。“送信する”、“受信する”、及び“通信する”という用語だけでなく、その派生語は、直間接的な通信のすべてを含む 。“含む”及び “備える”という語句だけではなく、その派生語は、限定ではなく、包含を意味する。“又は”という用語は、“及び／又は”の意味を包含する。“関連した”及び“それと関連した”という語句だけではなく、その派生語句は、“含む”、“含まれる”、“相互に連結する”、“包含する”、“包含される”、“連結する”、“結合する”、“疎通する”、“協力する”、“挿入する”、“並置する”、“近接する”、“属する”、“有する”、及び“特性を有する”、“関係を有する”などを意味する。“制御器”という用語は、少なくとも１つの動作を制御する任意の装置、システム又はその一部を意味する。そのような制御器は、ハードウェア又はハードウェアとソフトウェア、及び／又はファームウェアの組み合せで実現することができる。ある特定の制御器に関連した機能性は、ローカルでも遠隔でも、集中するか又は分散することができることに留意しなければならない。“少なくとも１つの”という語句は、項目のリストとともに使用される時に、リストされた項目の中の１つ以上の相互に異なる組み合せが使用されることができ、そのリスト内の１つの項目だけが必要とされることができることを意味する。例えば、“Ａ、Ｂ、及びＣの中の少なくとも１つ”は、Ａ、Ｂ、Ｃ、Ａ及びＢ、Ａ及びＣ、Ｂ及びＣ、及びＡとＢとＣの組み合せの中のいずれか１つを含む。
【００１０】
さらに、以下に記述される様々な機能は、１つ以上のコンピュータプログラムにより具現されるか又はサポートでき、そのプログラムの各々は、コンピュータ読み取り可能なプログラムコードから形成され、コンピュータ読み取り可能な媒体で実施される。“アプリケーション”及び“プログラム”という用語は、１つ以上のコンピュータプログラム、ソフトウェアコンポーネット、命令語セット、手順、関数、オブジェクト、クラス、インスタンス、関連データ、又は適合したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、読出し専用メモリ（read only memory：ＲＯＭ）、ランダムアクセスメモリ（random access memory：ＲＡＭ）、ハードディスクドライブ、コンパクト・ディスク（ＣＤ）、ディジタルビデオディスク（ＤＶＤ）、又は任意の他のタイプのメモリのように、コンピュータによりアクセスできるすべてのタイプの媒体を含む。“非一時的”なコンピュータ読み取り可能な媒体は、一時的な電気又は他の信号を転送する有線、無線、光学、又は他の通信リンクを除外する。非一時的なコンピュータ読み取り可能な媒体は、データが永久的に記憶されることができる媒体、及び再記録可能な光学ディスクや削除可能なメモリ装置のようにデータが記憶され、後でオーバーライティングされ得る媒体を含む。
【００１１】
他の所定の単語及び語句に対する定義がこの特許文書の全体にわたって提供される。当業者は、大部分の場合ではなくても多くの場合に、そのような定義がそのように定義された単語及び語句の前だけでなく後の使用にも適用されることが分かる。
【００１２】
本発明及びその長所に対するより完全な理解のために、同一の参照符号は、同一の構成要素を示す添付された図面と関連してなされた下記の説明を参照する。
【図面の簡単な説明】
【００１３】
【図１】本開示による無線通信ネットワークの例を示す図である。
【図２】本開示によるユーザ装置（ＵＥ）の例を示す図である。
【図３】本開示による改善したノードＢ（ｅＮＢ）の例を示す図である。
【図４】本開示によるＰＵＳＣＨ送信のためのＵＬ  ＳＦ構造の例を示す図である。
【図５】本開示によるＤＣＩフォーマットに対するエンコーディングプロセスの例を示す図である。
【図６】本開示によるＤＣＩフォーマットに対するデコーディングプロセスの例を示す図である。
【図７】本開示によるデュアル接続を使用する通信システムの例を示す図である。
【図８】本開示によるデュアル接続で動作するＭｅＮＢにより構成される２つの送信器アンテナを有するＵＥに対する送信器アンテナポートの選択の例を示す図である。
【図９】本開示によるＭｅＮＢとＳｅＮＢとの間のＵＥ送信器アンテナスイッチングの例を示す図である。
【図１０】本開示による測定ギャップＵＬ  ＳＦの間の単一の接続及び他のＵＬ  ＳＦでのデュアル接続を通したＵＥ動作を示す図である。
【図１１】本開示による測定ギャップＵＬ  ＳＦの使用を示す図である。
【図１２】本開示による第１の代案に従ってＭｅＮＢへの送信電力及びＳｅＮＢへの送信電力の決定を示す図である。
【図１３】本開示による第２の代案に従ってＵＥアンテナからＭｅＮＢへの送信電力及びＵＥアンテナからＳｅＮＢへの送信電力に対する決定を示す図である。
【図１４】本開示による第３の代案に従ってＵＥアンテナからＭｅＮＢへの送信電力及びＵＥアンテナからＳｅＮＢへの送信電力に対する決定を示す図である。
【図１５】本開示による第３の代案の変形に従ってＵＥアンテナからＭｅＮＢへの送信電力及びＵＥアンテナからＳｅＮＢへの送信電力に対する決定を示す図である。
【図１６】本開示に従ってＭｅＮＢへの送信のための保証電力
【００１４】
【数１】
0006494639.tif 000002
【００１５】
及びＳｅＮＢへの送信のための保証電力
【００１６】
【数２】
0006494639.tif 000003
【００１７】
を用いてＳＦｉ内のＭｅＮＢに送信するＵＥアンテナからの送信電力及びＳｅＮＢに送信するＵＥアンテナからの送信電力に対する決定を示す図である。
【発明を実施するための形態】
【００１８】
以下に論議される図１乃至図１６、及び本特許文献において本発明の開示原則を説明するために使用される様々な実施形態は、例示としてのみ提供され、開示の範囲を限定するいかなる方法としても理解されてはならない。当業者であれば、本発明の開示原則が、任意の適切に配置された無線通信システムで実現することができるものであることは自明である。
【００１９】
以下の文書及び標準説明が本明細書に全体的に記述されたもののように本開示に含まれる：３ＧＰＰ  ＴＳ  ３６．２１１  ｖ１１．２．０，“Ｅ−ＵＴＲＡ、物理チャネル及び変調”（参照１）、３ＧＰＰ  ＴＳ３６．２１２  ｖ１１．２．０，“Ｅ−ＵＴＲＡ、マルチプレキシング及びチャネルコーディング”（参照２）、３ＧＰＰ  ＴＳ３６．２１３  ｖ１１．２．０，“Ｅ−ＵＴＲＡ、物理レイヤー手順”（参照３）、“３ＧＰＰ  ＴＳ３６．３２１  ｖ１１．２．０，“Ｅ−ＵＴＲＡ、媒体アクセス制御（ＭＡＣ）プロトコル仕様”（参照４）、３ＧＰＰ  ＴＳ３６．３３１  ｖ１１．２．０，“Ｅ−ＵＴＲＡ、無線リソース制御（ＲＲＣ）プロトコル仕様”（参照５）、３ＧＰＰ  ＴＳ３６．１０１  ｖ１１．２．０，“進化した汎用地上無線アクセス（Ｅ−ＵＴＲＡ）；ユーザ装置（ＵＥ）無線送信及び受信”（参照６）、及び２０１４年１月８日出願された米国公開特許第２０１４／０１９２７３８号“無線ネットワークにおけるアップリンク制御情報の送信／受信”（参照７）。
【００２０】
本開示の１つ以上の実施形態は、デュアル接続動作の時のアップリンク送信に関する。無線通信ネットワークは、基地局又は向上したノードＢ（ｅＮＢ）のような送信地点からユーザ装置（ＵＥｓ）に信号を運搬するダウンリンク（ＤＬ）を含む。また、無線通信ネットワークは、ＵＥからｅＮＢのような受信地点に信号を運搬するアップリンク（ＵＬ）を含む。
【００２１】
図１は、本開示による無線ネットワーク１００の例を示す図である。図１に示す無線ネットワーク１００の実施形態は、例示のためのみのものである。無線ネットワーク１００の他の実施形態は、本開示の範囲から逸脱せず使用されることもできる。
【００２２】
図１に示すように、無線ネットワーク１００は、ｅＮｏｄｅＢ（ｅＮＢ）１０１、ｅＮＢ１０２、及びｅＮＢ１０３を含む。ｅＮＢ１０１は、ｅＮＢ１０２及びｅＮＢ１０３と通信する。また、ｅＮＢ１０１は、インターネット、独自のＩＰネットワーク、又は他のデータネットワークのような少なくとも１つのインターネットプロトコル（ＩＰ）ネットワーク１３０と通信する。
【００２３】
ネットワークタイプにより、“ｅＮｏｄｅＢ”又は“ｅＮＢ”の代わりに、“基地局”又は“アクセスポイント”のようなよく知られている他の用語が使用されることができる。説明の便宜のために、本特許文書内で使用される“ｅＮｏｄｅＢ”及び“ｅＮＢ”という用語は、遠隔端末に対する無線アクセスを提供するネットワークインフラ構成要素を意味する。また、他のネットワークタイプにより、“ユーザ機器”又は“ＵＥ”の代わりに、 “移動局”、“加入者局”、“遠隔端末”、“無線端末”、又は“ユーザ装置”のようなよく知られている他の用語が使用されることができる。ＵＥは、固定型又は移動型であり得、セルラーフォン、パーソナルコンピュータ装置などであり得る。説明の便宜のために、“ユーザ装置”及び“ＵＥ”という用語は、本特許文書において、ＵＥが（移動電話又はスマートフォンのような）移動装置として見なされるか又は（デスクトップコンピュータ又はベンディングマシンのような）一般的に固定装置として見なされるかにかかわらず、無線でｅＮＢをアクセスする遠隔無線装置を称するために使用される。
【００２４】
ｅＮＢ１０２は、ｅＮＢ１０２のカバレッジエリア１２０内の第１の複数のユーザ（ＵＥｓ）にネットワーク１３０に対する無線広帯域アクセスを提供する。第１の複数のＵＥは、スモールビジネス（ＳＢ）内に位置できるＵＥ１１１、企業体（Ｅ）内に位置できるＵＥ１１２、ＷｉＦｉホットスポット（ＨＳ）内に位置できるＵＥ１１３、第１のレジダンス（Ｒ）内に位置できるＵＥ１１５、第２のレジダンス（Ｒ）内に位置できるＵＥ１１６、及びセルフォン、無線ラップトップ、無線ＰＤＡなどのようなモバイル装置（Ｍ）であるＵＥ１１６を含む。ｅＮＢ１０３は、ｅＮＢ１０３のカバレッジエリア１２５内にある第２の複数のＵＥにネットワーク１３０に対する無線広帯域アクセスを提供する。第２の複数のＵＥは、ＵＥ１１５及びＵＥ１１６を含む。一部の実施形態において、ｅＮＢ１０１乃至１０３の中の１つ以上は、５Ｇ、ＬＴＥ、ＬＴＥ−Ａ、ＷｉＭＡＸ、又は他の進歩した無線通信技術を用いて、相互に及びＵＥ１１１乃至１１６と通信できる。
【００２５】
点線は、例示及び説明のみのために、ほぼ円形態で見られるカバレッジエリア１２０及び１２５の概略的な程度を示す。カバレッジエリア１２０及び１２５のように、ｅＮＢと関連したカバレッジエリアは、自然的であり人為的な障害物と関連した無線環境内の変動及びｅＮＢの構成により、不規則的な形態を含む他の形態を有することができることを明確に理解することができる。
【００２６】
以下では、より詳細に説明するように、ネットワーク１００の様々な構成要素（ｅＮＢ１０１乃至１０３及び／又はＵＥ１１１乃至１１６）は、ＴＤＤを使用することができるネットワーク１００の通信方向の適応をサポートし、デュアル接続動作の時のＵＬ送信に対するサポートを提供することができる。
【００２７】
ｅＮＢ１０１乃至１０３のうちの１つ以上は、それぞれのＵＥに含まれる送信器アンテナのセットから第１のサブセットのＵＥ送信器アンテナを決定するように構成される。それぞれのｅＮＢ１０１乃至１０３は、ＵＥが第１の基地局への送信のために第１のサブセットの送信器アンテナを使用するように構成する。所定の実施形態において、ｅＮＢ１０１乃至１０３のうちの１つ以上は、ＵＥから第１の基地局への送信のための最大ＵＥ送信電力の第１の比率及びＵＥから第２の基地局への送信のための最大ＵＥ送信電力の第２の比率を決定するように構成される。また、それぞれのｅＮＢ１０１乃至１０３は、最大ＵＥ送信電力の第１の比率及び最大ＵＥ送信電力の第２の比率をＵＥにシグナリングする。
【００２８】
図１は、無線ネットワーク１００の一例を示しているが、図１に対して様々な変形がなされる。例えば、無線ネットワーク１００は、任意の適切な配置において、任意の数のｅＮＢ及び任意の数のＵＥを含む。また、ｅＮＢ１０１は、任意の数のＵＥと直接通信することによりそのＵＥにネットワーク１３０に対する無線広帯域アクセスを提供できる。同様に、それぞれのｅＮＢ１０２及び１０３は、これらの間で又はネットワーク１３０と直接に通信し、ネットワーク１３０に対する直接無線広帯域アクセスをＵＥに提供することもできる。さらに、ｅＮＢ１０１、１０２、及び／又は１０３は、外部電話網又は他のタイプのデータネットワークのような他の、又は、付加の外部ネットワークへのアクセスを提供できる。
【００２９】
図２は、本開示によるＵＥ１１６の例を示す図である。図２に示すＵＥ１１６の実施形態は、例示のためのものであるだけで、図１の他のＵＥは、同一であるか又は類似の構成を有する。しかしながら、ＵＥは、広範囲な構成で現れ、図２は、本開示の範囲をＵＥの任意の特定の具現例に限定しない。
【００３０】
図２に示すように、ＵＥ１１６は、アンテナ２０５、無線周波数（ＲＦ）送受信器２１０、送信（ＴＸ）処理回路２１５、マイクロフォン２２０、及び受信（ＲＸ）処理回路２２５を含む。また、ＵＥ１１６は、スピーカ２３０、メインプロセッサ２４０、入力／出力（Ｉ／Ｏ）インターフェース（ＩＦ）２４５、キーパッド２５０、ディスプレイ２５５、及びメモリ２６０を含む。メモリ２６０は、基本オペレーティングシステム（ＯＳ）プログラム２６１及び１つ以上のアプリケーション２６２を含む。
【００３１】
ＲＦ送受信器２１０は、ｅＮＢ又は他のＵＥにより送信された入力ＲＦ信号をアンテナ２０５から受信する。ＲＦ送受信器２１０は、入力ＲＦ信号をダウンコンバートすることにより中間周波数（ＩＦ）又は基底帯域信号を生成する。ＩＦ又は基底帯域信号は、ＲＸ処理回路２２５に送信され、ＲＸ処理回路２２５は、基底帯域又はＩＦ信号のフィルタリング、デコーディング、及び／又はディジタル化を行うことにより処理された基底帯域信号を生成する。ＲＸ処理回路２２５は、処理された基底帯域信号をスピーカ２３０（音声データの場合）又はメインプロセッサ２４０（例えば、ウェブブラウジングデータの場合）に送信する。
【００３２】
ＴＸ処理回路２１５は、マイクロフォン２２０からアナログ又はディジタル音声データを、あるいはメインプロセッサ２４０から他の送信（outgoing）基底帯域データ（例えば、ウェブデータ、電子メール、双方向ビデオゲームデータ）を受信する。ＴＸ処理回路２１５は、送信基底帯域データの符号化、多重化、及び／又はディジタル化を行うことにより処理された基底帯域又はＩＦ信号を生成する。ＲＦ送受信器２１０は、処理された送信基底帯域又はＩＦ信号をＴＸ処理回路２１５から受信し、アンテナ２０５を通して送信される基底帯域又はＩＦ信号をＲＦ信号にアップコンバートする。
【００３３】
メインプロセッサ２４０は、１つ以上のプロセッサ又は他の処理装置を含むことができ、ＵＥ１１６の全般的な動作を制御するためにメモリに記憶される基本ＯＳプログラム２６１を実行することができる。１つのサブフレーム（ＳＦ）の送信時間間隔の間に、ＵＥが第１の基地局への送信電力を減少させるか、又は第２の基地局への送信電力を減少させる場合に、メインプロセッサ２４０は、ＳＦ内の第１の基地局への送信電力を最大ＵＥ送信電力の第１の比率より低く減少させず、あるいは、ＵＥがＳＦ内の第２の基地局への送信電力を最大ＵＥ送信電力の第２の比率より低く減少させない。例えば、メインプロセッサ２４０は、公知の原理に従って、ＲＦ送受信器２１０、ＲＸ処理回路２２５、及びＴＸ処理回路２１５により順方向チャネル信号の受信及び逆方向チャネル信号の送信を制御できる。一部の実施形態において、メインプロセッサ２４０は、少なくとも１つのマイクロプロセッサ又はマイクロコントローラを含む。
【００３４】
また、メインプロセッサ２４０は、メモリ２６０に滞在している他のプロセス及びプログラムを実行することもできる。メインプロセッサ２４０は、実行プロセスにより要求される時に、メモリにデータを移動させるか又はメモリからデータを移動させることができる。一部の実施形態において、メインプロセッサ２４０は、ＯＳプログラム２６１に基づくか、あるいは、ｅＮＢ又は他のＵＥ、又はオペレータから受信された信号に応じてアプリケーション２６２を実行するように構成される。また、メインプロセッサ２４０は、ラップトップコンピュータ及びハンドヘルドコンピュータのような他の装置に接続できる機能をＵＥ１１６に提供するＩ／Ｏインターフェース２４５に結合される。Ｉ／Ｏインターフェース２４５は、これらのアクセサリとメインプロセッサ２４０との間の通信経路である。
【００３５】
また、メインプロセッサ２４０は、キーパッド２５０及びディスプレイ部２５５に結合される。ＵＥ１１６のオペレータは、キーパッド２５０を使用してデータをＵＥ１１６に入力することができる。ディスプレイ２５５は、液晶ディスプレイ又はウェブサイトからテキスト及び／又は少なくとも制限されたグラフィックをレンダリングできる他のディスプレイであり得る。ディスプレイ２５５は、タッチスクリーンを示すこともできる。
【００３６】
メモリ２６０は、メインプロセッサ２４０に結合される。メモリ２６０の一部は、制御又はデータシグナリングメモリ（ＲＡＭ）を含むことができ、メモリ２６０の他の一部は、フラッシュメモリ又は他の読出し専用メモリ（ＲＯＭ）を含むことができる。
【００３７】
以下でより詳細に説明するように、ＵＥ１１６の送受信経路（ＲＦ送受信器２１０、ＴＸ処理回路２１５、及び／又はＲＸ処理回路２２５を用いて具現される）は、デュアル接続動作の時のＵＬ送信をサポートする。
【００３８】
図２は、ＵＥ１１６の一例を示すが、図２に対して様々な変形がなされる。例えば、図２の様々な構成要素が結合されるか、さらに細分化されるか、又は省略されるか、特定の需要に応じて追加の構成要素が付加される。特定の例として、メインプロセッサ２４０は、１つ以上の中央処理ユニット（ＣＰＵ）及び１つ以上のグラフィック処理ユニット（ＧＰＵ）のような様々なプロセッサに分割される。また、図２は、携帯電話又はスマートフォンとして構成されるＵＥ１１６を示すが、ＵＥは、他のタイプのモバイル又は固定装置として動作するように構成されることもある。さらに、図２の様々な構成要素は、異なるＲＦ構成要素がｅＮＢ１０１乃至１０３及び他のＵＥと通信するために使用される場合のように置き換えられることもある。
【００３９】
図３は、本開示によるｅＮＢ１０２の例を示す図である。図３に示すｅＮＢ１０２の実施形態は、例示的なものであるだけであり、図１の他のｅＮＢと同一であるか又は類似の構成を有する。しかしながら、ｅＮＢは、広範囲な構成で現れ、図３は、本開示の範囲をｅＮＢの任意の特定の具現例に限定しない。
【００４０】
図３に示すように、ｅＮＢ１０２は、多重アンテナ３０５ａ乃至３０５ｎ、多重ＲＦ送受信器３１０ａ乃至３１０ｎ、送信（ＴＸ）処理回路３１５、及び受信（ＲＸ）処理回路３２０を含む。また、ｅＮＢ１０２は、制御器／プロセッサ３２５、メモリ３３０、及びバックホール又はネットワークインターフェース３３５を含む。
【００４１】
ＲＦ送受信器３１０ａ乃至３１０ｎは、アンテナ３０５ａ乃至３０５ｎからＵＥ又は他のｅＮＢにより送信された信号のような入力ＲＦ信号を受信する。ＲＦ送受信器３１０ａ乃至３１０ｎは、入力ＲＦ信号をダウンコンバートすることによりＩＦ又は基底帯域信号を生成する。ＩＦ又は基底帯域信号は、ＲＸ処理回路３２０に送信され、ＲＸ処理回路２２５は、基底帯域又はＩＦ信号のフィルタリング、デコーディング及び／又はディジタル化を行うことにより、処理された基底帯域信号を生成する。ＲＸ処理回路３２０は、処理された基底帯域信号を追加で処理するために制御器／プロセッサ３２５に送信する。
【００４２】
ＴＸ処理回路３１５は、制御器／プロセッサ３２５からアナログ又はディジタルデータ（音声データ、ウェブデータ、電子メール、双方向ビデオゲームデータなど）を受信する。ＴＸ処理回路３１５は、送信基底帯域データの符号化、多重化、及び／又はディジタル化を行うことにより処理された基底帯域又はＩＦ信号を生成する。ＲＦ送受信器 ３１０ａ乃至３１０ｎは、処理された送信基底帯域又はＩＦ信号をＴＸ処理回路３１５から受信し、アンテナ３０５ａ乃至３０５ｎを通して送信される基底帯域又はＩＦ信号をＲＦ信号にアップコンバートする。
【００４３】
制御器／プロセッサ３２５は、ｅＮＢ１０２の全般的な動作を制御する１つ以上のプロセッサ又は他の処理装置を含むことができる。例えば、制御器／プロセッサ３２５は、よく知られている原理に従ってＲＦ送受信器３１０ａ乃至３１０ｎ、ＲＸ処理回路３２０、及びＴＸ処理回路３１５により順方向チャネル信号の受信及び逆方向チャネル信号の送信を制御する。制御器／プロセッサ３２５は、より進歩した無線通信機能のような追加の機能もサポートすることができる。例えば、制御器／プロセッサ３２５は、多重アンテナ３０５ａ乃至３０５ｎから送信される信号を所望する方向に効率的に操縦するために送信される信号を異なるように加重させるビームフォーミング又は方向性ルーティング動作をサポートすることができる。広範囲な他の機能のうちのいずれか１つが制御器／プロセッサ３２５によりｅＮＢ１０２内でサポートされる。一部の実施形態において、制御器／プロセッサ３２５は、少なくとも１つのマイクロプロセッサ又はマイクロコントローラを含む。
【００４４】
また、制御器／プロセッサ３２５は、基本ＯＳのように、メモリ３３０に滞在するプログラム及び他のプロセスを実行することができる。制御器／プロセッサ３２５は、実行プロセスにより要請される時に、メモリ３３０の内部又は外部にデータを移動させることができる。制御器／プロセッサ３２５は、それぞれのＵＥに含まれる送信器アンテナのセットで第１のサブセットのＵＥ送信器アンテナを決定するように構成される。制御器／プロセッサ３２５は、ＵＥが第１の基地局への送信のために第１のサブセットの送信器アンテナを使用するように構成する。所定の実施形態において、制御器／プロセッサ３２５は、ＵＥから第１の基地局への送信のための最大ＵＥ送信電力の第１の比率及びＵＥから第２の基地局への送信のための最大ＵＥ送信電力の第２の比率を決定するように構成される。また、制御器／プロセッサ３２５は、最大ＵＥ送信電力の第１の比率及び最大ＵＥ送信電力の第２の比率をＵＥにシグナリングする。
【００４５】
制御器／プロセッサ３２５は、バックホール又はネットワークインターフェース３３５にも結合される。バックホール又はネットワークインターフェース３３５は、ｅＮＢ１０２がバックホール接続又はネットワークを通して他の装置又はシステムと通信できるようにする。インターフェース３３５は、任意の適切な有線又は無線接続を通して通信をサポートできる。例えば、ｅＮＢ１０２がセルラー通信システム（５Ｇ、ＬＴＥ、又はＬＴＥ−Ａをサポートするもののようなシステム）として具現される時に、インターフェース３３５は、ｅＮＢ１０２が有線又は無線バックホール接続を通してｅＮＢ１０３のような他のｅＮＢと通信できるようにする。ｅＮＢ１０２がアクセスポイントとして具現される時に、インターフェース３３５は、ｅＮＢ１０２が有線又は無線ローカル領域ネットワークを通すか（インターネットのような）、又はより大きいネットワークへの有線又は無線接続を通して通信するようにする。インターフェース３３５は、イーサネット（登録商標）又はＲＦ送受信器のように、有線又は無線接続を通した通信をサポートする任意の適切な構造を含む。
【００４６】
メモリ３３０は、制御器／プロセッサ３２５に結合される。メモリ３３０の一部は、ＲＡＭを含み、メモリ３３０の他の一部は、フラッシュメモリ又は他のＲＯＭを含むことができる。
【００４７】
以下でより詳細に説明するように、ｅＮＢ１０２の送受信経路（ＲＦ送受信器３１０ａ乃至３１０ｎ、ＴＸ処理回路３１５、及び／又はＲＸ処理回路３２０を用いて具現される）は、デュアル接続動作の時のＵＬ送信をサポートする。
【００４８】
図３は、ｅＮＢ１０２の一例を示しているが、図３に対して様々な変形がなされる。例えば、ｅＮＢ１０２は、図３に示す所定数のそれぞれの構成要素を含む。特定の例として、アクセスポイントは、複数のインターフェース３３５を含み、制御器／プロセッサ３２５は、異なるネットワークアドレスの間でデータをルーティングするルーティング機能をサポートすることができる。他の特定の例として、１つのインスタンスのＴＸ処理回路３１５及び１つのインスタンスのＲＸ処理回路３２０を含むもので図示されているが、ｅＮＢ１０２は、それぞれに対して様々なインスタンスを含む（ＲＦ送受信器当たりの１つなど）。
【００４９】
一部の無線ネットワークにおいて、ＤＬ信号は、情報コンテンツを運搬するデータ信号、ＤＬ制御情報（ＤＣＩ）を運搬する制御信号、及びパイロット信号とも知られている参照信号（ＲＳ）を含む。ｅＮＢ１０２のようなｅＮＢは、直交周波数分割マルチプレキシング（ＯＦＤＭ）を用いてＤＬ信号を送信する。ｅＮＢ１０２は、それぞれの物理ＤＬ共有チャネル（ＰＤＳＣＨｓ）を通してデータ情報を送信することができる。ｅＮＢ１０２は、物理ＤＬ制御チャネル（ＰＤＣＣＨｓ）又は改善したＰＤＣＣＨ（ＥＰＤＣＣＨｓ）を通してＤＣＩを送信することができる（参照１）。ｅＮＢ１０２は、ＵＥ−共通ＲＳ（ＣＲＳ）、チャネル状態情報ＲＳ（ＣＲＩ−ＲＳ）、及び復調ＲＳ（ＤＭＲＳ）を含む様々なタイプのＲＳの中の１つ以上を送信することができる（参照１）。ｅＮＢ１０２は、ＤＬシステム帯域幅（ＢＷ）を通してＣＲＳを送信することができる。ＣＲＳは、ＵＥ１１６のようなＵＥによりデータを復調するか又は信号を制御するか又は測定を実行するために使用されることができる。ＣＲＳオーバーヘッドを減少させるために、ｅＮＢ１０２は、時間又は周波数ドメインでＣＲＳより小さい密度を有するＣＳＩ−ＲＳを送信できる。チャネル測定のために、非ゼロ（non-zero）電力ＣＳＩ−ＲＳ（ＮＺＰ  ＣＳＩ−ＲＳ）リソースが使用されることができる。干渉測定（ＩＭ）のために、ゼロ電力ＣＳＩ−ＲＳ（ＺＰ  ＣＳＩ−ＲＳ）と関連したＣＳＩ干渉測定（ＣＳＩ−ＩＭ）リソースを使用できる。ｅＮＢ１０２は、それぞれのＰＤＳＣＨ又はＥＰＤＣＣＨのＢＷだけでＤＭＲＳを送信する。ＵＥ１１６は、ＰＤＳＣＨ又はＥＰＤＣＣＨでの情報を復調するためにＤＭＲＳを使用することができる。ＲＳは、実現例固有の方式で物理的なアンテナにマッピングされる論理的なアンテナポートと関連する（参照１）。
【００５０】
また、ＵＬ信号は、情報コンテンツを運搬するデータ信号、ＵＬ制御情報（ＵＣＩ）を運搬する制御信号、及びＲＳを含む。ＵＥ１１６は、それぞれの物理ＵＬ共有チャネル（ＰＵＳＣＨ）又は物理ＵＬ制御チャネル（ＰＵＣＣＨ）を通してデータ情報又はＵＣＩを送信する。ＵＥ１１６がデータ情報及びＵＣＩを同一の送信時間間隔（ＴＴＩ）内で送信する場合に、ＵＥ１１６は、ＰＵＳＣＨを通して両方を多重化（マルチプレキシング）できる。ＵＣＩは、ＰＤＳＣＨを通してデータ送信ブロック（ＴＢｓ）の正確な（ＡＣＫ）検出又は不正確な（ＮＡＣＫ）検出、又は半永久的にスケジューリングされた（ＳＰＳ）ＰＤＳＣＨのリリーズを示すＤＣＩフォーマットの検出を示すハイブリッド自動反復要請確認（ＨＡＲＱ−ＡＣＫ）情報、ＵＥ１１４が自身のバッファ内にデータを有するか否かを示すスケジューリング要請（ＳＲ）、及びｅＮＢ１０２がＵＥ１１６へのＰＤＳＣＨ送信のための適切なパラメータを選択できるようにするチャネル状態情報（ＣＳＩ）を含む。ＨＡＲＱ−ＡＣＫ情報は、正確な（Ｅ）ＰＤＣＣＨ又はデータＴＢ検出に応答する肯定応答（ＡＣＫ）、正確でないデータＴＢ検出に応答する否定応答（ＮＡＣＫ）、及びＵＥ１１６が他の手段により欠落した（Ｅ）ＰＤＣＣＨを識別できる場合に、内在的であるか（すなわち、ＵＥ１１６がＨＡＲＱ−ＡＣＫ信号を送信しない）、又は明示的であり得る（Ｅ）ＰＤＣＣＨ検出（ＤＴＸ）の不在（ＮＡＣＫ及びＤＴＸを同一のＮＡＣＫ／ＤＴＸ状態で示すことも可能である）を含む。初期のアクセス又は後続の同期化目的で、ＵＥ１１６は、ｅＮＢ１０２により、物理的なランダムアクセスチャネル（ＰＲＡＣＨ）を送信するように構成されることもできる。ＵＬ  ＲＳは、ＤＭＲＳ及びサウンディングＲＳ（ＳＲＳ）を含む（参照１）。ＵＥ１１６は、それぞれのＰＵＳＣＨ又はＰＵＣＣＨのＢＷだけでＤＭＲＳを送信し、ｅＮＢ１０２は、ＤＭＲＳを使用してＰＵＳＣＨ又はＰＵＣＣＨの情報を復調できる。ＵＥ１１６は、ＵＬ  ＣＳＩを提供するためにＳＲＳをｅＮＢ１０２に送信する。ＤＬ  ＲＳと同様に、ＵＬ  ＲＳタイプ（ＤＭＲＳ又はＳＲＳ）は、それぞれのアンテナポートにより識別される。ＤＬ送信又はＵＬ送信のための送信時間単位は、サブフレーム（ＳＦ）である。
【００５１】
ＰＵＳＣＨに対する送信電力、又はＰＵＳＣＨ、又はＳＲＳがそれぞれのＵＬ電力制御プロセスに従って決定される（参照３）。ＵＥ１１６のようなＵＥは、パワーヘッドルームレポート（Power Headroom Report：ＰＨＲ）を用いてＵＥ１１６が実際のＰＵＳＣＨを有するか又はＰＵＣＣＨ送信を有するかにかかわらず、それぞれのＳＦ内のＰＵＳＣＨ又はＰＵＣＣＨ送信のためのもの以外に、ＵＥ１１６が有する使用可能な電力をｅＮＢ１０２のようなｅＮＢに知らせることができる（参照３及び参照４）。ＵＥ１１６は、しきい値を超えた経路損失の変化を通して、又はある周期的なタイマーによりＰＨＲをトリガーすることができる。
【００５２】
図４は、本開示によるＰＵＳＣＨ送信のためのＵＬ  ＳＦ構造の例を示す図である。図４に示すＵＬ  ＳＦ構造の実施形態は、ただ例示のためのものである。本開示の範囲から逸脱しない他の実施形態が使用されることもできる。
【００５３】
ＵＬシグナリングは、離散フーリエ変換拡散ＯＦＤＭ（ＤＦＴ−Ｓ−ＯＦＤＭ）を使用する。ＵＬ  ＳＦ４１０は、２つのスロットを含む。それぞれのスロット４２０は、ＵＥがデータ情報、ＵＣＩ、又はＲＳを送信する
【００５４】
【数３】
0006494639.tif 000004
【００５５】
個のシンボル４３０を含む。ＵＥは、ＤＭＲＳ４４０を送信するためにそれぞれのスロット内で１つ以上のシンボルを使用する。送信ＢＷは、リソースブロック（ＲＢ）と呼ばれる周波数リソースユニットを含む。それぞれのＲＢは、
【００５６】
【数４】
0006494639.tif 000005
【００５７】
個のサブキャリア、又はリソースエレメント（ＲＥ）を含む。ＵＥには、ＰＵＳＣＨ送信ＢＷに対する総
【００５８】
【数５】
0006494639.tif 000006
【００５９】
個のＲＥに対するＭＰＵＳＣＨ個のＲＢ４５０が割り当てられる。ＵＥには、ＰＵＣＣＨ送信に対して１個のＲＢが割り当てられる。最後のＳＦシンボルは、１つ以上のＵＥからのＳＲＳ送信４６０を多重化するのに使用されることができる。データ／ＵＣＩ／ＤＭＲＳ送信に使用可能なＵＬ  ＳＦシンボルの数は、
【００６０】
【数６】
0006494639.tif 000007
【００６１】
である。最後のＵＬシンボルが少なくとも部分的にＢＷでＰＵＳＣＨ送信ＢＷとオーバーラッピングするＵＥからのＳＲＳ送信をサポートする場合にＮＳＲＳ＝１である。そうでなければ、ＮＳＲＳ＝０である。１つのＳＦにわたった１つのＲＢの送信単位を物理的ＲＢ（ＰＲＢ）と称する。
【００６２】
ＵＥへのＰＤＳＣＨ送信又はＵＥ１１６のようなＵＥからのＰＵＳＣＨ送信は、動的スケジューリング又はＳＰＳによりトリガーされることができる。動的スケジューリングは、ＰＤＣＣＨ又はＥＰＤＣＣＨにより運搬されるＤＣＩフォーマットによるもので、ＰＤＳＣＨ又はＰＵＳＣＨ送信パラメータを提供するフィールドを含む。ＵＥ１１６は、ＰＤＳＣＨスケジューリングのためのＤＣＩフォーマット１Ａ及びＰＵＳＣＨスケジューリングのためのＤＣＩフォーマット０を常にモニタリングする。このような２つのＤＣＩフォーマットは、同一のサイズを有するように設計され、並びＤＣＩフォーマット０／１Ａと称されることができる。それぞれの（Ｅ）ＰＤＣＣＨでの他のＤＣＩフォーマットであるＤＣＩフォーマット１Ｃは、ＵＥのグループへのネットワーク構成パラメータに関するシステム情報（ＳＩ）、又はＵＥによるＰＲＡＣＨ送信に対する応答、又はＵＥのグループへのページング情報などを提供するＰＤＳＣＨをスケジューリングできる。他のＤＣＩフォーマットであるＤＣＩフォーマット３又はＤＣＩフォーマット３Ａ（並びＤＣＩフォーマット３／３Ａと称する）は、それぞれのＰＵＳＣＨ又はＰＵＣＣＨの送信のためにＵＥのグループに送信電力制御（ＴＰＣ）命令を提供することができる。
【００６３】
ＤＣＩフォーマットは、ＵＥ１１６が正確なＤＣＩフォーマット検出を確認するようにサイクリックリダンダンシーチェック（Cyclic Redundancy Check：ＣＲＣ）ビットを含む。ＤＣＩフォーマットタイプは、ＣＲＣビットをスクランブリングする無線ネットワーク一時識別子（ＲＮＴＩ）により識別される。ＰＤＳＣＨ又はＰＵＳＣＨを１つのＵＥにスケジューリングする（ユニキャストスケジューリング）ＤＣＩフォーマットにおいて、ＲＮＴＩは、セルＲＮＴＩ（Ｃ−ＲＮＴＩ）である。ＳＩをＵＥのグループに運搬するＰＤＳＣＨをスケジューリングする（ブロードキャストスケジューリング）ＤＣＩフォーマットにおいて、ＲＮＴＩは、ＳＩ−ＲＮＴＩである。ＵＥのグループからのＰＲＡＣＨ送信に対する応答を提供するＰＤＳＣＨをスケジューリングするＤＣＩフォーマットにおいて、ＲＮＴＩは、ＲＡ−ＲＮＴＩである。ＵＥのグループをページングするＰＤＳＣＨをスケジューリングするＤＣＩフォーマットにおいて、ＲＮＴＩは、Ｐ−ＲＮＴＩである。ＴＰＣ命令をＵＥのグループに提供するＤＣＩフォーマットにおいて、ＲＮＴＩは、ＴＰＣ−ＲＮＴＩである。それぞれのＲＮＴＩタイプは、ｅＮＢ１０２により無線リソース制御（ＲＲＣ）シグナリング（参照５）のような上位レイヤーシグナリングを通してＵＥ１１６に構成される（Ｃ−ＲＮＴＩは、それぞれのＵＥに対して固有である）。ＳＰＳ送信パラメータが上位レイヤーシグナリングを通してｅＮＢ１０２からＵＥ１１６に構成され、ＳＰＳリリーズと関連したＤＣＩフォーマットにおいて、ＲＮＴＩは、ＳＰＳ−ＲＮＴＩである。
【００６４】
残っているすべての内容において、明示的に言及されない限り、ＵＥ１１６に対するパラメータの構成は、ＵＥ１１６に対するパラメータの上位レイヤーシグナリングを意味し、上位レイヤーシグナリングは、ＲＲＣシグナリング又はＭＡＣシグナリングを意味する。
【００６５】
図５は、本開示によるＤＣＩフォーマットに対するエンコーディングプロセスの例を示す図である。図５に示すエンコーディングプロセスの実施形態は、例示のためのみのものである。本開示の範囲から逸脱しない他の実施形態が使用されることもできる。
【００６６】
ｅＮＢ１０２は、それぞれのＤＣＩフォーマットを個別にコーディングし、それぞれの（Ｅ）ＰＤＣＣＨを通して送信する。ＤＣＩフォーマットが予定されたＵＥ１１６に対するＲＮＴＩは、特定のＤＣＩフォーマットがＵＥに対して意図されることをＵＥが識別できるようにＤＣＩフォーマットコードワードのＣＲＣをマスキングする。（コーディングされない）ＤＣＩフォーマットビット５１０のＣＲＣがＣＲＣ計算動作５２０を用いて計算され、その後に、そのＣＲＣがＣＲＣとＲＮＴＩビット５４０との間の排他的ＯＲ（ＸＯＲ）演算５３０を用いてマスキングされる。ＸＯＲ演算５３０は、次のように定義される：ＸＯＲ（０，０）＝０、ＸＯＲ（０，１）＝１、ＸＯＲ（１，０）＝１、ＸＯＲ（１，１）＝０。マスキングされたＣＲＣビットがＣＲＣ付加演算５５０を用いてＤＣＩフォーマット情報ビットに付加され、（畳み込みコードを使用する演算のような）チャネルコーディング演算５６０を用いてチャネルコーディングが実行され、割り当てられたリソースに適用されるレートマッチング演算５７０が後続し、最後に、インターリービング及び変調５８０の演算が実行され、出力制御信号５９０が送信される。本例では、ＣＲＣ及びＲＮＴＩのすべてが１６ビットを含む。
【００６７】
図６は、本開示によるＤＣＩフォーマットに対するデコーディングプロセスの例を示す図である。図６に示すデコーディングプロセスの実施形態は、ただ例示のためのものである。本開示の範囲から逸脱しない他の実施形態が使用されることもできる。
【００６８】
受信された制御信号６１０が復調され、その結果によるビットが動作６２０でデインターリービングされ、ｅＮＢ１０２送信器で適用されたレートマッチングが動作６３０を通して復旧され、その後に、動作６４０でデータがデコーディングされる。データをデコーディングした後に、ＣＲＣビットの抽出６５０を行った後にＤＣＩフォーマット情報ビット６６０が得られ、その後に、ＵＥ  ＲＮＴＩ６８０とのＸＯＲ演算を適用することによりデマスキング（マスキング解除）６７０がなされる。最終的に、ＵＥ１１６は、ＣＲＣテスト６９０を実行する。ＣＲＣテストが通過され、ＤＣＩフォーマットのコンテンツが有効である場合には、ＵＥ１１６は、受信された制御信号６１０に対応するＤＣＩフォーマットが有効であると判定し、信号受信又は信号送信のためのパラメータを決定するか、そうでない場合には、ＵＥ１１６は、推定されたＤＣＩフォーマットを無視する。
【００６９】
ネットワーク容量及びデータレートに対してますます高まる需要を満足させるための１つのメカニズムがネットワーク緻密化である。これは、ネットワークノードの個数及びＵＥに対するそれらの近接性を増加させ、セル分割利得を提供するために小型セルを配置することにより実現される。小型セルの個数が増加し、小型セルの配置が密集していることに従って、ハンドオーバ周波数及びハンドオーバ失敗率もかなり増加する可能性がある。ＵＥがデータオフロードのために小型セルへの同時接続を行いつつ広いカバレッジエリアを提供するマクロセルへのＲＲＣ接続を保持する、マクロセル及び１つ以上の小型セルへの同時ＵＥ接続は、頻繁なハンドオーバを避けつつ高いデータレートを可能にする。マクロセルに対するＲＲＣ接続を保持することにより、小型セルとの通信が最適化されることができ、これは、移動性管理、ページング、及びシステム情報アップデートのような制御平面（Ｃ−平面）機能がマクロセルのみにより提供されることができ、小型セルは、ユーザ平面（Ｕ−平面）通信に対して専用であることができる。
【００７０】
複数のセルとのＵＥ通信の１つの重要な態様が、例えば、小型セルのｅＮＢとマクロセルのｅＮＢとの間のバックホールリンクのレイテンシである。バックホールリンクのレイテンシが実質的にゼロである場合には、スケジューリング決定は、中央のエンティティによりなされ、それぞれのネットワークノードに伝達されることができる。また、ＵＥからのフィードバックが任意のネットワークノードで受信され、中央のエンティティに伝達されることにより、ＵＥに対する適切なスケジューリング決定を容易にすることができる。このようなタイプの動作をキャリアアグリゲーションと称する（参照３）。
【００７１】
バックホールリンクのレイテンシが０でない場合に、実際に、中央のスケジューリングエンティティを使用することは実現不可能であり、これは、バックホールリンクのレイテンシがネットワークノードと中央のスケジューリングエンティティとの間の通信がある度に蓄積されるはずであり、それにより、ＵＥ通信に対して受け入れがたい遅延を引き起こし得る。したがって、スケジューリング決定が０でないレイテンシを有するバックホールリンクにより接続されるネットワークノードの各々で個別に実行される必要がある。また、ネットワークノードからスケジューリングと関連したＵＥからのフィードバックシグナリングは、同一のネットワークノードにより受信される必要がある。このようなタイプの動作をデュアル接続と称する。
【００７２】
デュアル接続で動作を実行するための幾つかの具現例が存在する。決定要素は、２つの相互に異なるキャリア周波数上での同時送信を可能にする複数の送信器アンテナに対するＵＥでの使用可能性であり得る。簡潔のために、デュアル接続をサポートするためのそれぞれの可能な具現例の細部事項は、論議されない。
【００７３】
図７は、本開示によるデュアル接続を使用する通信システムの例を示す図である。図７に示すデュアル接続の実施形態は、ただ例示のためのものである。本開示の範囲から逸脱しない他の実施形態が使用されることもできる。
【００７４】
ＵＥ１１４のような第１のＵＥであるＵＥ１  ７１０は、第１のキャリア周波数ｆ１  ７３０を用いてマスターｅＮＢ（ＭｅＮＢ）７２０と称するｅＮＢ１０２のようなマクロセルのｅＮＢと単一の接続で通信する。ＵＥ１１６のような第２のＵＥであるＵＥ２  ７４０は、キャリア周波数ｆ１  ７３０を通してＭｅＮＢ７２０と、そして、ｆ２  ７６０を通して２次ｅＮＢ（ＳｅＮＢ）７５０と呼ばれるｅＮＢ１０３のような小型セルのｅＮＢとすべてデュアル接続状態で通信する。
【００７５】
２つの送信器アンテナを有するＵＥ１１６のようなＵＥは、ｅＮＢ１０２のようなＭｅＮＢに送信するための１つのアンテナ及びｅＮＢ１０３のようなＳｅＮＢへの送信のための他の１つのアンテナを用いてデュアル接続をサポートすることができる。このような動作に対する１つの重要な要素は、ＵＥ１１６がＭｅＮＢ１０２及びＳｅＮＢ１０３にそれぞれ送信する第１及び第２の送信器アンテナを決定する。両方の送信器アンテナが正確に同一である場合に、ＵＥ１１６は、任意に１つを選択することができる。しかしながら、送信器アンテナは、アンテナ利得不均衡（ＡＧＩ）により、いずれか１つが他の１つよりかなり大きな伝搬損失を経験することができるために、実質的には同一でない。例えば、ユーザの身体の位置又はＭｅＮＢ１０２又はＳｅＮＢ１０３の位置に対する方位によりＡＧＩが発生し得る。約３デシベル（ｄＢ）又は６ｄＢのＡＧＩが通常的である。したがって、ＵＥ１１６がＭｅＮＢ１０２との通信のために、６ｄＢの追加の伝搬損失を経験する送信器アンテナを選択する場合に、カバレッジエリアの相当な減少が起こり得る。さらに、第１の送信器アンテナからの送信電力を増加させることにより、総送信電力の特定の上限の超過を避けるために第２の送信器アンテナからの送信電力が減少されるべき必要がある。これが望ましくないこともあるが、これは、第２の送信器アンテナからの送信電力の減少がＳｅＮＢ１０３との通信に対して達成可能なデータレートの減少をもたらすためである。
【００７６】
ＵＥが１つのｅＮＢと通信する場合又はＵＥが理想的なバックホールを通して接続される複数のｅＮＢと通信する場合に、スケジューリングエンティティが特定のアンテナポートを使用するように動的に示すことが可能である。これを閉ループアンテナ選択と呼ぶ。閉ループアンテナ選択を通した動作は、ＰＵＳＣＨに限定されることができ、複数のアンテナが同一の無線周波数（ＲＦ）成分を共有するので、同一のキャリア周波数を通した動作と関連する。ｅＮＢ１０２のようなｅＮＢは、ＰＵＳＣＨをスケジューリングするＤＣＩフォーマットのＣＲＣをスクランブリングするために追加のマスクを適用することにより、ＰＵＳＣＨ送信に使用するアンテナポートをＵＥ１１４のようなＵＥに示すことができる。ｅＮＢ１０２は、図５のステップ５３０におけるように、追加の動作を通して追加のマスクを適用することができる。ｅＮＢ１０２は、すべての２進数０のマスクを用いてＰＵＳＣＨを送信する第１のアンテナポートをＵＥ１１４に示すことができる（事実上、図５におけるように、１つのＣ−ＲＮＴＩにより１つを超過するＤＣＩフォーマットのＣＲＣに何らの追加のマスキングも適用されない）。ｅＮＢ１０２は、最後の要素が２進数１であり、残りのすべての要素が２進数０であるマスクを使用してＰＵＳＣＨを送信する第２のアンテナポートをＵＥ１１４に示すことができる。このような追加のマスキング動作は、ｅＮＢ１０２が、最上位ビットが０の値であるＣ−ＲＮＴＩを有するＵＥのみにアンテナポート選択を可能にすることを要求する。アンテナ選択がＵＥ１１４に構成される場合に、ＳＲＳ送信は、ＳＲＳ送信に対してｅＮＢ１０２からＵＥ１１４に構成されたＳＦ内のアンテナポートの間で連続して交互に行われる。アンテナ選択は、ＵＥ１１４が複数の送信器アンテナ（フィルタ又は増幅器のような複数の無線周波数構成要素）を有することを要求しない。代わりに、アンテナ選択は、１つのＲＦチェーンを共有する異なるアンテナポートの間で適用することができる。
【００７７】
デュアル接続の場合に、様々な送信器アンテナに対する閉ループアンテナの選択のための従来の動作の拡張は可能でなく、これは、ＭｅＮＢとＳｅＮＢとの間のバックホールリンクの０でないレイテンシが独立的であり非協調的なスケジューリングエンティティを必要とするためである。また、ＭｅＮＢ及びＳｅＮＢは、通常、様々なキャリア周波数で動作する。
【００７８】
隣接セルへの干渉を減少させ、熱に対する干渉（ＩｏＴ）雑音を制御することによりそれぞれの受信信頼度目標を保証しつつ、受信された信号対干渉及び雑音比（ＳＩＮＲ）に対して所望する目標を達成するためには、ＵＥ１１４のようなＵＥによるＵＬ送信の電力は、ｅＮＢ１０２のようなｅＮＢにより制御される。ＵＬ電力制御（ＰＣ）は、セル固有及びＵＥ固有のパラメータを有する開ループ（ＯＬ）成分、及びｅＮＢ１０２がＤＣＩフォーマットの送信を通してＵＥ１１４に提供する送信電力制御（ＴＰＣ）命令と関連した閉ループ（ＣＬ）成分を含むことができる。
【００７９】
ＳＦｉにおいて、ＰＵＳＣＨ送信電力ＰＰＵＳＣＨ，ｃ（ｉ）、ＰＵＣＣＨ送信電力ＰＰＵＣＣＨ（ｉ）、ＳＲＳ送信電力ＰＳＲＳ（ｉ）、及びＰＲＡＣＨ送信電力ＰＰＲＡＣＨ（ｉ）がそれぞれのＵＬ電力制御プロセスに従って決定される（参照３）。ＵＬ電力制御プロセスに従って決定された送信電力を公称（nominal）送信電力と称する。
【００８０】
キャリアアグリゲーションを通した動作において、ＳＦｉ内のＵＥ１１４のようなＵＥからの総公称送信電力がＳＦｉ内のＵＥ１１４に対する最大送信電力ＰＣＭＡＸ（ｉ）より大きい場合に、ＵＥ１１４は、まず、ＰＲＡＣＨ送信（存在する場合）に電力を割り当てる。ＵＥ１１４がＰＲＡＣＨ送信を有しない場合に、ＵＥ１１４は、ＰＵＣＣＨ送信（存在する場合）にまず電力を割り当てる。その後に、ミリワット当たりのｄＢ（ｄＢｍ）単位の送信電力Ｐの線形値を
【００８１】
【数７】
0006494639.tif 000008
【００８２】
で示す時に、
【００８３】
【数８】
0006494639.tif 000009
【００８４】
である場合に、ＵＣＩ（存在する場合）を運搬するセルｊでＰＵＳＣＨに対して、ＵＥ１１４は、
【００８５】
【数９】
0006494639.tif 000010
【００８６】
に従う電力ＰＰＵＳＣＨ，ｊ（ｉ）を割り当てる。
【００８７】
【数１０】
0006494639.tif 000011
【００８８】
である場合に、ＵＥ１１４は、
【００８９】
【数１１】
0006494639.tif 000012
【００９０】
となるように同一のファクターｗ（ｉ）で残りのそれぞれのＰＵＳＣＨ送信に対する公称送信電力をスケーリングする。また、ＵＥ１１４は、残りのＰＵＳＣＨ送信のうちの１つ以上に対してｗ（ｉ）＝０となるように設定することもできる（参照３）。
【００９１】
キャリアアグリゲーションに対する動作の場合に、ＳＦｉにおいて、総ＵＥ送信電力がＰＣＭＡＸ（ｉ）より大きくないように保証するものと類似して、デュアル接続に対する動作の場合に、ＳＦｉ内でＭｅＮＢの１つ以上のセル及びＳｅＮＢの１つ以上のセルでの総ＵＥ送信電力がＰＣＭＡＸ（ｉ）より大きくないように保証されなければならない。電力が制限される（総公称送信電力がＰＣＭＡＸ（ｉ）を超過する）場合に、ＵＥ１１６は、キャリアアグリゲーションに対して動作するＵＥ１１４と類似した方式で送信されたチャネル又は信号への電力の割り当てを優先させることができる。例えば、１つ以上のセル内のＰＲＡＣＨ送信への電力の割り当てが他の送信より優先される。例えば、ＭｅＮＢ１０２へのＨＡＲＱ−ＡＣＫ／ＳＲ送信がＰＲＡＣＨ以外の送信より優先される（参照７）。したがって、電力の割り当ては、もっとも高い優先順位を有するＰＲＡＣＨを通したそれぞれの送信により実行される機能に従うことができ、その後に、ＨＡＲＱ−ＡＣＫ／ＳＲ、ＣＳＩ、データへの電力の割り当てが順次にくることができ、ＳＲＳへの電力がもっとも後で割り当てられる（参照３及び参照７）。
【００９２】
ＵＥは、ＰＨＲを通して現在の送信のために使用された電力の以外に自身が有する電力量をｅＮＢに示すことができる（参照３）。正のＰＨＲ値は、ＵＥが自身の送信電力を増加させることができることを示す。ＰＨＲは、ＰＵＳＣＨを通したＵＥのデータの一部としてＵＥから送信されるＭＡＣ  ＣＥ内に含まれる。例えば、ＵＥがサービングセルｃに対してＳＦｉ内のＰＵＳＣＨを送信しない場合には、タイプ１ＰＨＲは、数式１のように計算される。
【００９３】
【数１２】
0006494639.tif 000013
【００９４】
ここで（参照３）、
【００９５】
【数１３】
0006494639.tif 000014
【００９６】
は、参照６での要件に基づいて計算され、ＰＯ＿ＰＵＳＣＨ，ｃ（１）は、ＵＥへの上位レイヤーシグナリング及びｅＮＢでの平均受信ＳＩＮＲを制御することにより提供されるパラメータであり、αｃ（１）は、０≦αｃ（１）≦１である時に、ＵＥへの上位レイヤーシグナリングにより構成されたセル固有のパラメータであり、ＰＬｃは、サービングセルｃに対してＵＥでデシベル（ｄＢ）単位で算出されたＤＬ経路損失推定値であり、ｆｃ（ｉ）は、ＳＦｉにおいて、ＰＵＳＣＨ送信をＵＥにスケジューリングするＤＣＩフォーマット又は累積値のリセットの後の最初値であるｆ（０）を有するＤＣＩフォーマット３に含まれるＣＬ  ＴＰＣ命令δＰＵＳＣＨ（ｉ）を累積した関数である。
【００９７】
本開示の１つ以上の実施形態は、ＭｅＮＢ又はＳｅＮＢが第１のアンテナからＵＥが送信する信号及び第２のアンテナからＵＥが送信する信号を測定できるようにするメカニズムを提供する。また、本開示の１つ以上の実施形態は、デュアル接続を通して動作するＵＥに対するアンテナ選択をサポートし、ＭｅＮＢ又はＳｅＮＢとの通信のための送信器アンテナをＵＥに示すメカニズムを提供する。最後に、本開示の１つ以上の実施形態は、ＵＥからＭｅＮＢ及びＳｅＮＢへの総送信電力が最大送信の超過を防止しつつ、カバレッジエリア又は達成可能なデータレートを減少させないようにするメカニズムを提供する。
【００９８】
以下では、第１及び第２の実施形態において、ＭｅＮＢとＳｅＮＢとのデュアル接続動作のための２つのＵＥ送信器アンテナの間でのアンテナ選択が一次的に考慮される。しかしながら、本開示の実施形態が２つのＵＥ送信器アンテナ又は２つのｅＮＢに限定されるのではなく、２つを超えるＵＥ送信器アンテナ又は２つを越えるｅＮＢに対しても適用されることができる。
【００９９】
実施形態１：デュアル接続のためのＵＥ送信器アンテナに対する指示
第１の実施形態は、デュアル接続動作が可能なＵＥ１１６のようなＵＥが、まず、ｅＮＢ１０２のようなＭｅＮＢと初期の接続を確立することを示す。その後に、ＭｅＮＢ１０２は、ｅＮＢ１０３のようなＳｅＮＢを含むデュアル接続動作のためにＵＥ１１６を構成する。
【０１００】
ＵＥ１１６がＭｅＮＢ１０２と通信する間に、ＭｅＮＢ１０２は、ＵＥ１１６のそれぞれの送信器アンテナと関連した伝搬損失を決定することができる。例えば、ＭｅＮＢ１０２は、ＵＥ１１６のそれぞれのアンテナポートからＳＲＳ送信を構成し、それぞれの送信器アンテナポートに対する伝搬損失の推定値を得ることができる。ＵＥ１１６がデュアル接続の動作に対してＭｅＮＢ１０２により構成された後に、ＭｅＮＢ１０２がそのようなＳｅＮＢ１０３へのＳＲＳ送信を実行するようにＵＥ１１６に示し、ＳｅＮＢ１０３に対してバックホールリンクを通したそれぞれの測定をＭｅＮＢ１０２に通知するように示すことも可能である。その後に、ＭｅＮＢ１０２は、ＵＥ１１６からＭｅＮＢ１０２又はＳｅＮＢ１０３への送信のためのアンテナ選択の時の追加情報を使用することができる。例えば、ＳＲＳ受信に基づいて、ＭｅＮＢ１０２での制御器は、ＵＥ１１６に対する送信器アンテナのセットの中でＭｅＮＢ１０２（又はＳｅＮＢ１０３）への送信のためのサブセットを決定することができる。
【０１０１】
ＵＥ１１６に対するデュアル接続の初期化を構成すると、ＭｅＮＢ１０２は、構成要素であるアンテナ−選択−ＳｅＮＢを含んでＳｅＮＢ１０３への送信のために使用するアンテナポートをＵＥ１１６に通知することができる。同等に、ＭｅＮＢ１０２は、構成要素であるアンテナ−選択−ＭｅＮＢを含んでＭｅＮＢ１０２への送信に使用するアンテナポートをＵＥ１１６に通知することができる。
【０１０２】
ＵＥ１１６が２つの送信器アンテナを備える場合に、アンテナ−選択−ＳｅＮＢは、１つのビットを含むことができ、このとき、値‘０'は、ＵＥ１１６が第１のＳＲＳ送信と関連する送信器アンテナポートに対応することができ、値‘１’は、ＵＥ１１６が第２のＳＲＳ送信と関連する送信器アンテナポートに対応することができる。ＵＥ１１６が４つの送信器アンテナを備える場合に、アンテナ−選択−ＳｅＮＢは、２ビット（又は４ビット）の２対を含むことができ、ＵＥ１１６の送信器アンテナポートとの関係は、それぞれのＳＲＳ送信に従うことができる（参照３）。
【０１０３】
図８は、本開示によるデュアル接続で動作するＭｅＮＢにより構成される２つの送信器アンテナを有するＵＥに対する送信器アンテナポートの選択の例を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーンの処理回路により具現される。
【０１０４】
ＭｅＮＢ１０２は、ステップ８１０において、１ビットの構成要素アンテナ−選択−ＳｅＮＢ（または、１ビットの構成要素アンテナ−選択−ＭｅＮＢ）を含む構成を用いてＳｅＮＢ１０３とのデュアル接続動作に対する２つの送信器アンテナポートを有するＵＥ１１６を構成する。ＵＥ１１６は、ステップ８２０において、アンテナ−選択−ＳｅＮＢの２進値が０と同一であるか否かを検査する。アンテナ−選択−ＳｅＮＢの２進値が０と同一である場合に（または、アンテナ−選択−ＭｅＮＢの２進値が１と同一である場合に）、ＵＥ１１６は、ステップ８３０において、ＳｅＮＢ１０３との通信のために第１の送信器アンテナポートを選択する（ＭｅＮＢ１０２との通信のために第２の送信器アンテナポートを選択する）。例えば、第１の送信器アンテナポートは、ＵＥ１１６が単一の接続でＭｅＮＢ１０２と動作する時に、第１のアンテナポートからのＳＲＳ送信に対応することができる。アンテナ−選択−ＳｅＮＢの２進値が１と同一である場合に（または、アンテナ−選択−ＭｅＮＢの２進値が０と同一である場合に）、ＵＥ１１６は、ステップ８４０において、ＳｅＮＢ１０３との通信のために第２の送信器アンテナポートを選択する（ＭｅＮＢ１０２との通信のために第１の送信器アンテナポートを選択する）。例えば、第２の送信器アンテナポートは、ＵＥ１１６が単一の接続でＭｅＮＢ１０２と動作する時に、第２のアンテナポートからのＳＲＳ送信に対応することができる。ＭｅＮＢ１０２によるＵＥ１１６へのアンテナ−選択−ＳｅＮＢ（または、アンテナ−選択−ＭｅＮＢ）の構成は、ＰＤＳＣＨを通した上位レイヤーシグナリングに従い、従来のｅＮＢ送信器構造及びＵＥ受信器構造が適用されることができる。それぞれの説明は、簡潔のために反復しない。
【０１０５】
実施形態２：デュアル接続の構成の後の送信器アンテナの指示
第２の実施形態は、ＵＥ１１６のようにデュアル接続で動作するＵＥに対する送信器アンテナポートの適応を示す。ＭｅＮＢ１０２又はＳｅＮＢ１０３に対するＵＥ１１６の位置（方位）の再配置又は移動性により、ＭｅＮＢ１０２又はＳｅＮＢ１０３との通信のための送信器アンテナポートに対するＵＥ１１６の選択は、時間の経過とともに変化する。
【０１０６】
図９は、本開示によるＭｅＮＢとＳｅＮＢとの間のＵＥ送信器アンテナスイッチングの例を示す図である。図９に示すＭｅＮＢとＳｅＮＢとの間のＵＥ送信器アンテナスイッチングに対する実施形態は、ただ例示のためのものである。本開示の範囲から逸脱しない他の実施形態が使用されることもできる。
【０１０７】
任意のＵＬ  ＳＦにおいて、ＵＥ１１６は、第１のアンテナポートを用いて（９１０）ＭｅＮＢ１０２への送信を行い（９２０）、第２のアンテナポートを用いて（９３０）ＳｅＮＢ１０３への送信を行う（９４０）。任意の他のＵＬ  ＳＦにおいて、例えば、ＭｅＮＢ１０２からのシグナリングに基づいて、ＵＥ１１６は、第２のアンテナポートを用いて（９３０）ＭｅＮＢ１０２への送信を行い（９２０）、第１のアンテナポートを用いて（９１０）ＳｅＮＢ１０３への送信を行う（９４０）。
【０１０８】
デュアル接続で動作するＵＥ１１６のための送信器アンテナポートの適応を可能にするために、ＵＥ１１６には、ＵＬ測定ギャップが割り当てられることができる。測定ギャップＵＬ  ＳＦの間に、ＵＥ１１６は、ＭｅＮＢ１０２（又はＳｅＮＢ１０３）により受信されることができるＳＲＳのような信号を送信し、ＳＲＳ送信は、ＵＥ１１６が他のＵＬ  ＳＦでＳｅＮＢ１０３に（又はＭｅＮＢ１０２にそれぞれ）信号を送信するために使用するアンテナポートから少なくとも出てくる。測定がそれぞれの送信ポイントからのＣＲＳのような信号に基づいて、ＵＥにより実行される測定ギャップの従来の使用とは反対に、ＭｅＮＢ１０２又はＳｅＮＢ１０３との通信のためのＵＥ１１６アンテナポート選択を可能にする測定ギャップは、ＵＥ１１６からアンテナポートにより送信される信号に基づいて、ＭｅＮＢ１０２又はＳｅＮＢ１０３により実行される。測定ギャップは、例えば、１個のＵＬ  ＳＦ又は２個のＵＬ  ＳＦのように複数の連続的なＵＬ  ＳＦ（又は一般的にＤＬ  ＳＦ又はＵＬ  ＳＦ）であり得、１つのフレームが１０個のＳＦを含む時に、例えば、８個のフレームのような複数のフレームにわたった周期性を有することができる。また、ＳＦオフセットは、測定ギャップＵＬ  ＳＦの間にＵＥ１１６に構成されることもできる。ＵＥ１１６の複数の送信器アンテナポートからのＳＲＳ送信の多重化は、それぞれのＳＲＳ送信パラメータの割り当てのための手段を使用する同一のＳＦの同一のシンボル内にあり得る（参照３）。測定ギャップＵＬ  ＳＦは、ＵＥ１１６へのＤＬ送信に対する影響を減少させるために、ＭｅＮＢ１０２及びＳｅＮＢ１０３に対して一致するように構成されることができる。
【０１０９】
図１０は、本開示による測定ギャップＵＬ  ＳＦの間の単一の接続及び他のＵＬ  ＳＦでのデュアル接続を通したＵＥ動作を示す図である。図１０に示すＵＥ動作の実施形態は、ただ例示のためのものである。本開示の範囲から逸脱しない他の実施形態が使用されることもできる。
【０１１０】
ＵＥ１１６は、２つの測定ギャップＵＬ  ＳＦ１０１０を通して構成される。２つの測定ギャップＵＬ  ＳＦは、例えば、ＭｅＮＢ１０２に対応するキャリア周波数に対するものであり得る。また、測定ギャップＵＬ  ＳＦは、０であるシステムフレーム番号（ＳＦＮ）を有するフレームに対するオフセット値１０２０と一緒であり得る。例えば、オフセット値は、０と反復期間１０３０で測定ギャップＵＬ  ＳＦの個数を減算した値との間にあり得る。測定ギャップＵＬ  ＳＦの間に、ＵＥ１１６は、他のＵＬ  ＳＦでＳｅＮＢ１０３に送信するためにＵＥ１１６が使用する少なくとも１つ以上のアンテナポートを含む１つ以上のアンテナポートからＳＲＳを送信する。類似した構成は、ＳｅＮＢ１０３に対して適用することができるが、簡潔のために重複する内容は、省略する。
【０１１１】
測定ギャップＵＬ  ＳＦ間の構成は、ＭｅＮＢ１０２によりＵＥ１１６及びＳｅＮＢ１０３のすべてに伝達されることにより、測定ギャップＵＬ  ＳＦの間に、ＵＥ１１６からのＵＬ送信を要求するＵＬ  ＳＦ内でＵＥ１１６のスケジューリングを避けることをＳｅＮＢ１０３が認識するようにできる。このような構成は、ＵＥ１１６がＲＲＣ＿ＣＯＮＮＥＣＴＥＤ状態にある場合に、ＵＥ１１６がＭｅＮＢ１０２のみに送信できるＵＬ  ＳＦとＵＥ１１６がＳｅＮＢ１０３のみに送信できるＵＬ  ＳＦとをすべて含むことができる。ＲＲＣ＿ＩＤＬＥ状態のＵＥに対してそのような測定ギャップをサポートすることも可能である。
【０１１２】
他のＵＬ  ＳＦでのＳＲＳ送信のためのパラメータの構成と比較して、測定ギャップＵＬ  ＳＦでのＳＲＳ送信のためのパラメータに対する個別の構成は、ＵＥ１１６に通知されることができる。例えば、１つより大きい場合に、測定ギャップＵＬ  ＳＦの間のＳＲＳ送信の周期は、１つのＵＬ  ＳＦであり得、他のＳＦでのＳＲＳ送信の周期は、１つのＵＬ  ＳＦを越え得る。これとは異なり、測定ギャップＵＬ  ＳＦが、ＵＥが構成されたＳＲＳ送信を有するＵＬ  ＳＦと一致する場合に、測定ギャップＵＬ  ＳＦ内のＳＲＳ送信に対して同一のパラメータの構成が使用されることができるが、ＵＥ１１６は、他のアンテナポートから送信する。例えば、測定ギャップＵＬ  ＳＦ内でＵＥ１１６が第１のアンテナポートからＭｅＮＢ１０２に構成されたＳＲＳ送信を有し、ＵＥ１１６がデュアル接続で第２のアンテナポートを使用してＳｅＮＢ１０３への送信を行う場合に、第２のアンテナポートからのＳＲＳ送信は、第１のアンテナポートのために構成されたリソースを使用することができる。
【０１１３】
また、測定ギャップ、例えば、電力が制限された動作を示すＵＥ１１６からのＰＨＲに応答してＭｅＮＢ１０２によりＵＥ１１６に動的にトリガーされることができる。このとき、測定ギャップＵＬ  ＳＦの構成が周期的に発生する代わりに、ＵＥ１１６は、例えば、上位レイヤーシグナリングを通してＭｅＮＢ１０２により測定ギャップＵＬ  ＳＦの構成に関する情報の通知を受けることができる。トリガーの後に、又は測定ギャップＵＬ  ＳＦのデューレーションの後の開始ＳＦのような測定ギャップＵＬ  ＳＦの間の送信パラメータがシステム動作で予め決定されるか、ＵＥ１１６に予め構成されるか、又は上位レイヤーシグナリングに含まれることができる。あるいは、測定ギャップＵＬ  ＳＦの代わりに、ＭｅＮＢ１０２がＵＥ１１６に示すことによりアンテナ選択に対して上位レイヤーシグナリング又は動的シグナリングを用いて送信器アンテナをスイッチングすることができる。そのような機能は、ＭｅＮＢ１０２のみに許容されることができる（すなわち、ＳｅＮＢ１０３は、送信器アンテナをスイッチングするようにＵＥ１１６に指示しないことがある）。
【０１１４】
図１１は、本開示による測定ギャップＵＬ  ＳＦの使用を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、基地局内の送信器チェーン内の処理回路により具現される。
【０１１５】
ＭｅＮＢ１０２は、ステップ１１１０において、ＭｅＮＢ１０２及びＳｅＮＢ１０３に対して、１つ以上の測定ギャップＵＬ  ＳＦを有し、ＳｅＮＢ１０３を含むデュアル接続で動作するＵＥ１１６を構成する。オフセットも構成されることができる。ＭｅＮＢ１０２に対する測定ギャップＵＬ  ＳＦの間に、ＵＥ１１６は、ステップ１１２０において、ＵＥ１１６が少なくとも他のＵＬ  ＳＦでシグナリングをＳｅＮＢ１０３に送信するために使用するアンテナポートからＳＲＳを送信する。ＳｅＮＢ１０３に対する測定ギャップＵＬ  ＳＦの間に、ＵＥ１１６は、ステップ１１２５において、ＵＥ１１６が少なくとも他のＵＬ  ＳＦでシグナリングをＭｅＮＢ１０３に送信するために使用するアンテナポートからＳＲＳを送信する。ステップ１１２０及びステップ１１２５でのＳＲＳ送信からの測定に基づいて、ＭｅＮＢ１０２は、ステップ１１３０において、ＭｅＮＢ１０２への送信のための第１のアンテナポート及びＳｅＮＢ１０３への送信のための第２のアンテナポートにＵＥ１１６を構成する。このような構成は、ステップ１１２５において、バックホールリンクを通してＳｅＮＢ１０３からＭｅＮＢ１０２へのＳＲＳ測定に対するフィードバックに基づくこともできる。
【０１１６】
実施形態３：送信器アンテナ当たりの送信電力の割り当て
第３の実施形態は、ｅＮＢ１０２のようなＭｅＮＢへのＵＥ送信のための最大保証電力を設定し、ｅＮＢ１０３のようなＳｅＮＢへのＵＥ送信のための最大保証電力を設定することを示す。これとは異なり、第３の実施形態は、ｅＮＢ１０２のようなＭｅＮＢへのＵＥ送信のための最小保証電力を設定し、ｅＮＢ１０３のようなＳｅＮＢへのＵＥ送信のための最小保証電力を設定することを考慮する。ＭｅＮＢ及びＳｅＮＢのすべてに対するＳＦｉ内の総最大送信電力ＰＣＭＡＸ（ｉ）に対する要件は、単一のｅＮＢ接続動作に対してＵＥ１１６に予め定義されるか又は構成されると見なされる（参照３及び参照６）。
【０１１７】
ＭｅＮＢ１０２及びＳｅＮＢ１０３での独立したスケジューラ及びＭｅＮＢ１０２とＳｅＮＢ１０３との間のバックホールリンクの０でないレイテンシにより、ＵＥ１１６がＳＦｉ内でＭｅＮＢ１０２への第１の送信を有するようにし、ＳｅＮＢ１０３への第２の送信を有するようにすることが可能である。２つの送信は、相互に独立的であるので、それらのそれぞれの公称電力は、独立して決定され、総値は、最大ＵＥ送信電力ＰＣＭＡＸ（ｉ）を超過することができる。
【０１１８】
ＵＥ１１６がＳＦｉ内でＭｅＮＢ１０２のみに、又はＳｅＮＢ１０２のみに送信する場合に、最大送信電力は、ＰＣＭＡＸ（ｉ）であり得る。例えば、ＭｅＮＢ１０２が周波数分割デュプレキシング（ＦＤＤ）を使用し、ＳｅＮＢ１０３が時分割デュプレキシング（ＴＤＤ）を使用する場合に、ＵＥ１１６は、少なくともＳｅＮＢ１０３でのＤＬ  ＳＦと完全にオーバーラッピングする（参照３で定義されるように、ＭｅＮＢ１０２とＳｅＮＢ１０３との間の同期動作のために）ＳＦ内でＭｅＮＢ１０２への送信のための最大使用可能な電力ＰＣＭＡＸ（ｉ）を推定することができる。ＳＦオーバーラッピングがＳＦシンボルの一部を超過する場合に、非同期動作が発生する。例えば、非同期動作のために、ＵＥ１１６は、ＳｅＮＢ１０３がＴＤＤを使用し、ＳＦがＳｅＮＢ１０３での２つのＤＬ  ＳＦとオーバーラッピングする場合に、そのＳＦ内のＭｅＮＢ１０２への送信のための最大使用可能な電力ＰＣＭＡＸ（ｉ）を推定することができる。したがって、バックホールリンクを通してＳｅＮＢ１０３により使用されるＵＬ／ＤＬ構成（可能な限り、ＵＥ１１６がＳｅＮＢ１０３の様々なそれぞれのセル内で通信する場合の複数のＵＬ／ＤＬ構成）に対するＳｅＮＢ１０３でＭｅＮＢ１０２への情報に基づいて、ＭｅＮＢ１０２は、ＵＥ１１６をスケジューリングする時にその情報を使用することができる。例えば、ＵＥ１１６によりより高い送信電力を要求するより大きいデータＴＢと関連したより高いＵＬスペクトル効率性がＳｅＮＢ１０３でのＤＬ  ＳＦであるＳＦ内のターゲットとなることができる。同様に、ＭｅＮＢ１０２及びＳｅＮＢ１０３がＵＥ１１６に対して様々な不連続受信（ＤＲＸ）パターンを構成することができるので、ＵＥ１１６がＤＲＸモードにある時にシグナリングを送受信できない場合には、ＭｅＮＢ１０２及びＳｅＮＢ１０３は、バックホールリンクを通してＤＲＸパターンを交換することができる。
【０１１９】
ＳＦｉにおいて、総送信電力がＰＣＭＡＸ（ｉ）を超過しないようにする条件を満足させるための従来の方式は、ＭｅＮＢ１０２及びＳｅＮＢ１０３へのＵＥ１１６の送信の間にＰＣＭＡＸ（ｉ）を同等に分割するものである。しかしながら、ＭｅＮＢ１０２又はＳｅＮＢ１０３へのＵＥ１１６の送信電力に対する要件を考慮しないために、そのような最大送信電力の分割は、次善策である。例えば、ＭｅＮＢ１０２へのＵＥ１１６の送信のための最大電力を常にＰＣＭＡＸ（ｉ）／２に制限することは、セルカバレッジを２倍に減少させる結果をもたらす。そうすると、ＵＥ１１６が、ＭｅＮＢ１０２では遠く（マクロセルの境界近傍）、ＳｅＮＢ１０３に近く位置することができ、デュアル接続から利益を有することができるとしても、カバレッジの減少により、ＵＥ１１６は、デュアル接続で動作するように構成された後に、ＭｅＮＢ１０２への接続を保持することができないことがある。反対に、ＳｅＮＢ１０３は、通常、小型セルをサポートするので、ＵＥ１１６がＳｅＮＢ１０３に送信するために使用するアンテナポートに対して最大電力をＰＣＭＡＸ（ｉ）／２に減少させることはあまり重要でなく、これは、実際に要求される最大送信電力は、通常にＰＣＭＡＸ（ｉ）／２に比べてずっと小さいためである。しかしながら、ＳｅＮＢ１０３に対するＵＬスループットがＵＥ１１６に対して最大化されなければならず、ＵＥ１１６がＭｅＮＢ１０２に対するカバレッジ制限条件に近くない場合に、ＳｅＮＢ１０３へのＵＬ送信に対しては、ＵＥ１１６がＭｅＮＢ１０２に対するカバレッジ制限条件に近いときより大きい電力が割り当てられることができる。したがって、ＵＥ１１６がＭｅＮＢ１０２及びＳｅＮＢ１０３のすべてとの通信リンクを保持するように保証しつつ、ＭｅＮＢ１０２又はＳｅＮＢ１０３に対するＵＥ１１６の送信電力を構成可能であるという長所がある。
【０１２０】
ＳＦｉにおいて、ＵＥ１１６からＭｅＮＢ１０２及びＳｅＮＢ１０３への送信のための使用可能な電力の使用を向上させるために、ＭｅＮＢ１０２へのＵＥ送信のための最大電力及びＳｅＮＢ１０３へのＵＥ送信に対する最大電力であるＰＣＭＡＸ＿ＭｅＮＢ（ｉ）及びＰＣＭＡＸ＿ＳｅＮＢ（ｉ）がＭｅＮＢ１０２によりＵＥ１１６に構成されることができる。線形ドメインにおいて、
【０１２１】
【数１４】
0006494639.tif 000015
【０１２２】
は、かならず
【０１２３】
【数１５】
0006494639.tif 000016
【０１２４】
と同一でないことがあり、
【０１２５】
【数１６】
0006494639.tif 000017
【０１２６】
より小さいか又は大きい。
【０１２７】
【数１７】
0006494639.tif 000018
【０１２８】
又は
【０１２９】
【数１８】
0006494639.tif 000019
【０１３０】
に対する上位レイヤーシグナリングは、
【０１３１】
【数１９】
0006494639.tif 000020
【０１３２】
のそれぞれのスケーリングファクター（分数）ｆＭｅＮＢ又はｆＳｅＮＢの形態であり得る（
【０１３３】
【数２０】
0006494639.tif 000021
【０１３４】
、
【０１３５】
【数２１】
0006494639.tif 000022
【０１３６】
）。これは、ＳＦにわたった
【０１３７】
【数２２】
0006494639.tif 000023
【０１３８】
の可変を考慮しつつ、
【０１３９】
【数２３】
0006494639.tif 000024
【０１４０】
又は、
【０１４１】
【数２４】
0006494639.tif 000025
【０１４２】
に対する単純な定義を可能にする。ＭｅＮＢ１０２によるＵＥ１１６へのｆＭｅＮＢ又はｆＳｅＮＢの構成（及びそれに従う
【０１４３】
【数２５】
0006494639.tif 000026
【０１４４】
又は
【０１４５】
【数２６】
0006494639.tif 000027
【０１４６】
の構成）は、ＰＤＳＣＨを通した上位レイヤーシグナリングに従い、従来のｅＮＢ送信器構造及びＵＥ受信器構造が適用されることができる。それぞれに関する説明は、簡潔さのために反復しない。さらに、ＭｅＮＢ１０２での制御器は、以前のパラグラフで説明されたように、例えば、ＵＥ１１６のカバレッジ考慮事項又はターゲットデータレートに基づいてｆＭｅＮＢ又はｆＳｅＮＢに対する値を決定することができる。
【０１４７】
ＰＣＭＡＸ＿ＭｅＮＢ（ｉ）及びＰＣＭＡＸ＿ＳｅＮＢ（ｉ）の構成の前に、ＳｅＮＢ１０３は、ＭｅＮＢ１０２へのバックホールリンクを通してＵＥ１１６からＳｅＮＢ１０３に要求される送信電力を送信することができる。ＵＥ１１６において、このような要求される送信電力は、例えば、ＵＥ１１６に対するＳｅＮＢ１０３と関連したカバレッジエリア又は干渉特性により定められることができる。ＰＣＭＡＸ＿ＳｅＮＢ（ｉ）（又は、それとは異なり、後述するように、ＵＥ１１６からＳｅＮＢ１０３に要求される送信電力ＰＣＭＩＮ＿ＳｅＮＢ（ｉ））がＵＥ１１６からＳｅＮＢ１０３へのそのような電力要件が満足するように構成されることができる。また、ＭｅＮＢ１０２は、ＵＥ１１６に対するＰＣＭＡＸ＿ＭｅＮＢ（ｉ）及びＰＣＭＡＸ＿ＳｅＮＢ（ｉ）のＳｅＮＢ１０３への割り当て（又は、それとは異なり、後述するように、ＵＥ１１６からＭｅＮＢ１０２に要求される送信電力ＰＣＭＩＮ＿ＭｅＮＢ（ｉ）及びＰＣＭＩＮ＿ＳｅＮＢ（ｉ）に対する割り当て）を送信することができる。例えば、ＭｅＮＢ１０２は、ミリワット当たりのＰＣＭＡＸ（ｉ）＝２３ｄＢ（ｄＢｍ）を有するＵＥ１１６にＰＣＭＡＸ＿ＭｅＮＢ（ｉ）＝２２．５ｄＢｍ及びＰＣＭＡＸ＿ＳｅＮＢ（ｉ）＝１３ｄＢｍを割り当てることができる（この場合に、ＰＣＭＡＸ＿ＭｅＮＢ（ｉ）＋ＰＣＭＡＸ＿ＳｅＮＢ（ｉ）＝ＰＣＭＡＸ（ｉ））。この情報は、ＳｅＮＢ１０３がＭｅＮＢ１０２に対するＰＣＭＡＸ＿ＭｅＮＢ（ｉ）の値（又はＰＣＭＩＮ＿ＭｅＮＢ（ｉ）の値）を認識することにより、ＵＥ１１６に対する自身のスケジューリング決定を改善するようにすることができる。
【０１４８】
方法１：ＭｅＮＢのための最大ＵＥ送信電力及びＳｅＮＢのための最大ＵＥ送信電力の設定
ＳＦｉにおいて、ＵＥ１１６は、ＭｅＮＢ１０２への電力ＰＭｅＮＢ（ｉ）で第１のＵＬ送信を有し、ＳｅＮＢ１０３への電力ＰＳｅＮＢ（ｉ）で第２のＵＬ送信を有し、
【０１４９】
【数２７】
0006494639.tif 000028
【０１５０】
である場合に、総送信電力
【０１５１】
【数２８】
0006494639.tif 000029
【０１５２】
の
【０１５３】
【数２９】
0006494639.tif 000030
【０１５４】
以下への電力減少は、ＭｅＮＢ１０２及びＳｅＮＢ１０３への同一の情報タイプ送信のためにＭｅＮＢ１０２及びＳｅＮＢ１０３のすべてに対して同一である代わりに、ＰＣＭＡＸ＿ＭｅＮＢ（ｉ）及びＰＣＭＡＸ＿ＳｅＮＢ（ｉ）の値又はＰＭｅＮＢ（ｉ）及びＰＳｅＮＢ（ｉ）の値に左右されることができる。これは、例えば、ＭｅＮＢ１０２及びＳｅＮＢ１０３への送信に対して同一の電力量の減少を適用することは、ＰＣＭＡＸ＿ＳｅＮＢ（ｉ）又はＰＳｅＮＢ（ｉ）がそれぞれＰＣＭＡＸ＿ＭｅＮＢ（ｉ）又はＰＭｅＮＢ（ｉ）よりずっと小さいために、ＳｅＮＢ１０３への送信に対してより低減される効果を有することができるためである。このような電力減少は、ＵＥ１１６がＭｅＮＢ１０２及びＳｅＮＢ１０３のすべてにデータ情報又はＨＡＲＱ−ＡＣＫ情報のような同一の情報タイプを送信する時に適用されることができ、他の情報タイプが送信される時の電力の割り当ては、それぞれの情報タイプの相対的な優先順位に従うことができる（参照３及び参照７）。
【０１５５】
第１の代案において、ＳＦｉにおいて、ＵＥからＭｅＮＢ１０２への総送信電力ＰＭｅＮＢ（ｉ）は、ＰＣＭＡＸ＿ＭｅＮＢ（ｉ）を超過しないように制限され、ＳｅＮＢへのＵＥ１１６からの総送信電力ＰＳｅＮＢ（ｉ）は、ＰＣＭＡＸ＿ＳｅＮＢ（ｉ）を超過しないように制限される。第１の代案において、ＵＥ１１６が、電力制限がなされる時に（
【０１５６】
【数３０】
0006494639.tif 000031
【０１５７】
）、ＰＣＭＡＸ＿ＭｅＮＢ（ｉ）及びＰＣＭＡＸ＿ＳｅＮＢ（ｉ）は、ＭｅＮＢ１０２及びＳｅＮＢ１０３の各々に対するＵＥ１１６からの送信電力の上限として機能する。ＵＥ１１６は、それぞれのＵＬ電力制御プロセスに従って、ＭｅＮＢ１０２への送信電力ＰＭｅＮＢ（ｉ）及びＳｅＮＢ１０３への送信電力ＰＳｅＮＢ（ｉ）を決定する。ＰＭｅＮＢ（ｉ）＞ＰＣＭＡＸ＿ＭｅＮＢ（ｉ）であるか、又はＰＳｅＮＢ（ｉ）＞Ｐｍａｘ＿ＳｅＮＢ（ｉ）である場合に、ＵＥ１１６は、まず、ＵＥ１１６がＭｅＮＢ１０２に送信する情報又はＵＥ１１６がＳｅＮＢ１０３に送信する情報に従って、電力の割り当てが優先されるか否かに従って、ＰＭｅＮＢ（ｉ）＝ＰＣＭＡＸ＿ＭｅＮＢ（ｉ）又はＰＳｅＮＢ（ｉ）＝ＰＣＭＡＸ＿ＳｅＮＢ（ｉ）となるようにそれぞれ設定する。第１の代案は、ＭｅＮＢ及びＳｅＮＢへの非同期送信に対してＰＣＭＡＸ＿ＭｅＮＢ（ｉ）＋ＰＣＭＡＸ＿ＳｅＮＢ（ｉ）＝ＰＣＭＡＸ（ｉ）である時にも適用されることができる。
ＰＣＭＡＸ、ＰＣＭＡＸ＿ＭｅＮＢ、ＰＣＭＡＸ＿ＳｅＮＢ、ＰＭｅＮＢ、及びＰＳｅＮＢの線形値をそれぞれ
【０１５８】
【数３１】
0006494639.tif 000032
【０１５９】
、
【０１６０】
【数３２】
0006494639.tif 000033
【０１６１】
、
【０１６２】
【数３３】
0006494639.tif 000034
【０１６３】
、
【０１６４】
【数３４】
0006494639.tif 000035
【０１６５】
、及び
【０１６６】
【数３５】
0006494639.tif 000036
【０１６７】
として表示する時に、総送信電力での
【０１６８】
【数３６】
0006494639.tif 000037
【０１６９】
の減少が、総送信電力が
【０１７０】
【数３７】
0006494639.tif 000038
【０１７１】
より大きくなることを避けるように要求される場合に、第１の代案の第１のアプローチ方式において、ＵＥ１１６は、
【０１７２】
【数３８】
0006494639.tif 000039
【０１７３】
だけ（
【０１７４】
【数３９】
0006494639.tif 000040
【０１７５】
である場合に、
【０１７６】
【数４０】
0006494639.tif 000041
【０１７７】
だけ）ＭｅＮＢ１０２への送信電力を減少させることができ、
【０１７８】
【数４１】
0006494639.tif 000042
【０１７９】
だけ（
【０１８０】
【数４２】
0006494639.tif 000043
【０１８１】
である場合に、
【０１８２】
【数４３】
0006494639.tif 000044
【０１８３】
だけ）ＳｅＮＢへの送信電力を減少させることができる。したがって、第１のアプローチ方式に従う
【０１８４】
【数４４】
0006494639.tif 000045
【０１８５】
及び
【０１８６】
【数４５】
0006494639.tif 000046
【０１８７】
の関数は、総送信電力が
【０１８８】
【数４６】
0006494639.tif 000047
【０１８９】
を超過する場合に、電力スケーリングファクターとして作用することにより、ＵＥ１１６がＭｅＮＢ１０２及びＳｅＮＢ１０３に送信する同一の情報タイプを運搬するチャネルに対する電力スケーリングを制御するものである（
【０１９０】
【数４７】
0006494639.tif 000048
【０１９１】
及び
【０１９２】
【数４８】
0006494639.tif 000049
【０１９３】
は、
【０１９４】
【数４９】
0006494639.tif 000050
【０１９５】
であり、それぞれがＳＦｉと無関係に同一の値を有することができる場合に、ＭｅＮＢ１０２及びＳｅＮＢ１０３のそれぞれへの送信電力の減少を決定するための電力スケーリングファクターである）。
【０１９６】
第１の代案の第２のアプローチ方式において、ＵＥ１１６からＭｅＮＢ１０２への送信電力の減少は、
【０１９７】
【数５０】
0006494639.tif 000051
【０１９８】
として計算されることができ、ＳｅＮＢ１０３への送信電力の減少は、
【０１９９】
【数５１】
0006494639.tif 000052
【０２００】
として計算されることができる。
第１の代案の第３のアプローチ方式において、ＭｅＮＢ１０２への送信電力の減少は、
【０２０１】
【数５２】
0006494639.tif 000053
【０２０２】
として計算されることができ、ＳｅＮＢ１０３への送信電力の減少は、
【０２０３】
【数５３】
0006494639.tif 000054
【０２０４】
として計算されることができ、ｆＭｅＮＢ及びｆＳｅＮＢは、上位レイヤーシグナリングを通してＭｅＮＢ１０２によりＵＥ１１６に構成されることができ、通常、ｆＭｅＮＢ＋ｆＳｅＮＢ＝１である。
【０２０５】
【数５４】
0006494639.tif 000055
【０２０６】
及び
【０２０７】
【数５５】
0006494639.tif 000056
【０２０８】
であるので、第３のアプローチ方式は、第１のアプローチ方式の代案的な具現であり、第１及び第３のアプローチ方式は、機能的に同一である。
【０２０９】
図１２は、本開示による第１の代案に従ってＭｅＮＢへの送信電力及びＳｅＮＢへの送信電力の決定を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーン内の処理回路により具現される。
【０２１０】
ＳＦｉにおいて、ＵＥ１１６は、ステップ１２１０において、ＵＬ電力制御プロセス及び
【０２１１】
【数５６】
0006494639.tif 000057
【０２１２】
に従って、ＭｅＮＢ１０２へのチャネル又は信号（ＰＵＣＣＨ、ＰＵＳＣＨ、ＰＲＡＣＨ、ＳＲＳ）の送信のための電力
【０２１３】
【数５７】
0006494639.tif 000058
【０２１４】
及びＳｅＮＢ１０３へのチャネル又は信号（ＰＵＣＣＨ、ＰＵＳＣＨ、ＰＲＡＣＨ  ＳＲＳ）の送信のための電力
【０２１５】
【数５８】
0006494639.tif 000059
【０２１６】
を決定する。その後に、ＵＥ１１６は、ステップ１２２０において、
【０２１７】
【数５９】
0006494639.tif 000060
【０２１８】
であるか、又は      
【０２１９】
【数６０】
0006494639.tif 000061
【０２２０】
であるかを決定し、そのような場合に、ＵＥ１１６は、ＵＥ１１６がＭｅＮＢ１０２又はＳｅＮＢ１０３に送信する情報タイプの相対的な優先順位に従って
【０２２１】
【数６１】
0006494639.tif 000062
【０２２２】
又は
【０２２３】
【数６２】
0006494639.tif 000063
【０２２４】
をそれぞれ設定する。上述したように、
【０２２５】
【数６３】
0006494639.tif 000064
【０２２６】
に対するそれぞれの比率ｆＭｅＮＢ及びｆＳｅＮＢを構成することにより、ＭｅＮＢ１０２によりＵＥ１１６に
【０２２７】
【数６４】
0006494639.tif 000065
【０２２８】
及び
【０２２９】
【数６５】
0006494639.tif 000066
【０２３０】
が構成されることができる。その後に、
【０２３１】
【数６６】
0006494639.tif 000067
【０２３２】
が可能である場合に、ＵＥ１１６は、ステップ１２４０において、
【０２３３】
【数６７】
0006494639.tif 000068
【０２３４】
であるか否かを判定する。
【０２３５】
【数６８】
0006494639.tif 000069
【０２３６】
である場合に、ＵＥは、ステップ１２５０において、ファクターｗＭｅＮＢで
【０２３７】
【数６９】
0006494639.tif 000070
【０２３８】
をスケーリングし、ファクターｗＳｅＮＢで
【０２３９】
【数７０】
0006494639.tif 000071
【０２４０】
をスケーリングすることにより（同一のタイプの情報がＭｅＮＢ１０２及びＳｅＮＢ１０３のすべてに送信される場合に）、
【０２４１】
【数７１】
0006494639.tif 000072
【０２４２】
となる。スケーリングファクターｗＭｅＮＢ及びｗＳｅＮＢは、第１の代案の第３のアプローチ方式について説明したように、ＭｅＮＢ１０２によりＵＥ１１６に構成されるか、又はＵＥ１１６により
【０２４３】
【数７２】
0006494639.tif 000073
【０２４４】
及び
【０２４５】
【数７３】
0006494639.tif 000074
【０２４６】
又は
【０２４７】
【数７４】
0006494639.tif 000075
【０２４８】
及びＰＳｅＮＢ（ｉ）のような他のパラメータを使用して決定されることができる。最後に、ＵＥ１１６は、ステップ１２６０において、
【０２４９】
【数７５】
0006494639.tif 000076
【０２５０】
送信電力でＭｅＮＢ１０２にチャネル又は信号を送信し、
【０２５１】
【数７６】
0006494639.tif 000077
【０２５２】
送信電力でＳｅＮＢ１０３にチャネル又は信号を送信する。
【０２５３】
第２の代案において、ＭｅＮＢ１０２又はＳｅＮＢ１０３へのチャネル又は信号の送信のための電力がＭｅＮＢ１０２及びＳｅＮＢ１０３に対して個別に独立して決定される。ＳＦｉにおいて、ＵＥ１１６は、それぞれのＵＬ電力制御プロセスを用いて、ＭｅＮＢ１０２へのチャネル又は信号の送信のための電力
【０２５４】
【数７７】
0006494639.tif 000078
【０２５５】
及びＳｅＮＢ１０３へのチャネル又は信号の送信のための電力
【０２５６】
【数７８】
0006494639.tif 000079
【０２５７】
を計算する。
【０２５８】
【数７９】
0006494639.tif 000080
【０２５９】
であり、
【０２６０】
【数８０】
0006494639.tif 000081
【０２６１】
又は
【０２６２】
【数８１】
0006494639.tif 000082
【０２６３】
である場合に、ＵＥ１１６は、ＵＥ１１６がＭｅＮＢ１０２又はＳｅＮＢ１０３への電力の割り当てを優先するか否に従って、それぞれ
【０２６４】
【数８２】
0006494639.tif 000083
【０２６５】
を設定するか、又は
【０２６６】
【数８３】
0006494639.tif 000084
【０２６７】
を設定する。例えば、ＵＥ１１６がＭｅＮＢ１０２への電力の割り当てを優先すると仮定する場合に、
【０２６８】
【数８４】
0006494639.tif 000085
【０２６９】
に対して、ＵＥ１１６は、（ａ）公称
【０２７０】
【数８５】
0006494639.tif 000086
【０２７１】
及び、（ｂ）
【０２７２】
【数８６】
0006494639.tif 000087
【０２７３】
と
【０２７４】
【数８７】
0006494639.tif 000088
【０２７５】
及び
【０２７６】
【数８８】
0006494639.tif 000089
【０２７７】
のうちの小さいものとの間の差の中でさらに小さいものとして
【０２７８】
【数８９】
0006494639.tif 000090
【０２７９】
を設定する。したがって、
【０２８０】
【数９０】
0006494639.tif 000091
【０２８１】
となる。その後に、
【０２８２】
【数９１】
0006494639.tif 000092
【０２８３】
となる。
【０２８４】
図１３は、本開示による第２の代案に従ってＵＥアンテナからＭｅＮＢへの送信電力及びＵＥアンテナからＳｅＮＢへの送信電力に対する決定を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーンの処理回路により具現される。
【０２８５】
ＭｅＮＢ１０２は、ステップ１３１０において、ＭｅＮＢ１０２への送信のための電力
【０２８６】
【数９２】
0006494639.tif 000093
【０２８７】
及びＳｅＮＢ１０３への送信のための電力
【０２８８】
【数９３】
0006494639.tif 000094
【０２８９】
をＵＥ１１６に構成する。ＵＥ１１６は、ステップ１３２０において、ＭｅＮＢ１０２へのチャネル又は信号の送信及びＳｅＮＢ１０３へのチャネル又は信号の送信のためのそれぞれの電力制御プロセスを使用して、ＳＦｉにおいて、（公称）送信電力
【０２９０】
【数９４】
0006494639.tif 000095
【０２９１】
及び（公称）送信電力
【０２９２】
【数９５】
0006494639.tif 000096
【０２９３】
を決定する。ＵＥ１１６がＭｅＮＢ１０２への送信に対する電力の割り当てを優先すると仮定する時に、ＵＥ１１６は、ステップ１３３０において、
【０２９４】
【数９６】
0006494639.tif 000097
【０２９５】
であるか否かを検査する。
【０２９６】
【数９７】
0006494639.tif 000098
【０２９７】
である場合に、ＵＥ１１６は、ステップ１３４０の
【０２９８】
【数９８】
0006494639.tif 000099
【０２９９】
及びステップ１３４５の
【０３００】
【数９９】
0006494639.tif 000100
【０３０１】
を設定する。最後に、ＵＥ１１６は、ステップ１３５０において、電力
【０３０２】
【数１００】
0006494639.tif 000101
【０３０３】
を使用してＭｅＮＢ１０２に送信し、ステップ１３５５において、電力
【０３０４】
【数１０１】
0006494639.tif 000102
【０３０５】
を使用してＳｅＮＢ１０３に送信する。
第３の代案において、ＳＦｉにおいて、ＵＥ１１６は、ＵＥ１１６からの総送信電力が
【０３０６】
【数１０２】
0006494639.tif 000103
【０３０７】
を超過する場合のみに、ＭｅＮＢ１０２への最大送信電力として
【０３０８】
【数１０３】
0006494639.tif 000104
【０３０９】
使用するか、又はＳｅＮＢ１０３への最大送信電力として
【０３１０】
【数１０４】
0006494639.tif 000105
【０３１１】
を使用する。そうでなければ、ＵＥ１１６は、ＭｅＮＢ１０２に対する自身の送信電力を
【０３１２】
【数１０５】
0006494639.tif 000106
【０３１３】
に制限せず、ＳｅＮＢ１０３に対する自身の送信電力を
【０３１４】
【数１０６】
0006494639.tif 000107
【０３１５】
に制限しない。
【０３１６】
【数１０７】
0006494639.tif 000108
【０３１７】
である場合に、そして、ＭｅＮＢ１０２に対する送信電力を
【０３１８】
【数１０８】
0006494639.tif 000109
【０３１９】
に制限し、ＳｅＮＢ１０３に対する送信電力を
【０３２０】
【数１０９】
0006494639.tif 000110
【０３２１】
に制限した後に、ＵＥ１１６からの総送信電力は、やはり
【０３２２】
【数１１０】
0006494639.tif 000111
【０３２３】
を超過し、ＵＥ１１６からＭｅＮＢ１０２（
【０３２４】
【数１１１】
0006494639.tif 000112
【０３２５】
）及びＳｅＮＢ１０３（
【０３２６】
【数１１２】
0006494639.tif 000113
【０３２７】
）への最終総送信電力が
【０３２８】
【数１１３】
0006494639.tif 000114
【０３２９】
となるように電力減少を適用することができる。
【０３３０】
第３の代案の長所は、
【０３３１】
【数１１４】
0006494639.tif 000115
【０３３２】
に対して、
【０３３３】
【数１１５】
0006494639.tif 000116
【０３３４】
である場合及び
【０３３５】
【数１１６】
0006494639.tif 000117
【０３３６】
又は
【０３３７】
【数１１７】
0006494639.tif 000118
【０３３８】
である場合のみに（それぞれの電力の割り当ての優先順位に従って）、ＵＥ１１６からＭｅＮＢ１０２へ、又はＵＥ１１６からＳｅＮＢ１０３への送信電力をそれぞれ
【０３３９】
【数１１８】
0006494639.tif 000119
【０３４０】
または、
【０３４１】
【数１１９】
0006494639.tif 000120
【０３４２】
に制限するものである。すると、それらが、送信電力が
【０３４３】
【数１２０】
0006494639.tif 000121
【０３４４】
を超過しないように減少させるスケーリングファクターとして機能する第１の代案とは異なり、第３の代案において、
【０３４５】
【数１２１】
0006494639.tif 000122
【０３４６】
及び
【０３４７】
【数１２２】
0006494639.tif 000123
【０３４８】
は、ＳＦｉにおいて、ＵＥ１１６による公称送信電力が（それぞれのＵＬ電力制御プロセスに従って）、
【０３４９】
【数１２３】
0006494639.tif 000124
【０３５０】
となるようにする場合に、ＭｅＮＢ１０２及びＳｅＮＢ１０３への使用可能な最大電力
【０３５１】
【数１２４】
0006494639.tif 000125
【０３５２】
を配分するように機能する。これは、ＭｅＮＢ１０２がサポートする複数のセル又はＳｅＮＢ１０３がサポートする複数のセル内のＵＬ送信に対してＵＥ１１６が構成される場合に、ＭｅＮＢ１０２及びＳｅＮＢ１０３への電力の割り当てを簡素化させる。
【０３５３】
図１４は、本開示による第３の代案に従ってＭｅＮＢに送信するＵＥアンテナからの送信電力及びＳｅＮＢに送信するＵＥアンテナからの送信電力に対する決定を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーンの処理回路により具現される。
【０３５４】
ＳＦｉにおいて、ＵＥ１１６は、それぞれのＵＬ電力制御プロセス１４１０に従って、ＭｅＮＢ１０２へのチャネル又は信号（ＰＵＣＣＨ、ＰＵＳＣＨ、ＰＲＡＣＨ、ＳＲＳのような信号）の送信のための電力
【０３５５】
【数１２５】
0006494639.tif 000126
【０３５６】
及びＳｅＮＢ１０３へのチャネル又は信号（ＰＵＣＣＨ、ＰＵＳＣＨ、ＰＲＡＣＨ  ＳＲＳのような信号）の送信のための電力
【０３５７】
【数１２６】
0006494639.tif 000127
【０３５８】
を決定する。その後に、ＵＥ１１６は、ステップ１４２０において、
【０３５９】
【数１２７】
0006494639.tif 000128
【０３６０】
であるか否かを判定する。
【０３６１】
【数１２８】
0006494639.tif 000129
【０３６２】
である場合に、ＵＥ１１６は、ステップ１４３０において、
【０３６３】
【数１２９】
0006494639.tif 000130
【０３６４】
であるか、又は
【０３６５】
【数１３０】
0006494639.tif 000131
【０３６６】
であるかを判定し、そうであれば、ＵＥ１１６は（ＵＥ１１６がＳｅＮＢ１０３又はＭｅＮＢ１０２のそれぞれへの電力の割り当てを優先するか否かに従って）、ステップ１４３０において、
【０３６７】
【数１３１】
0006494639.tif 000132
【０３６８】
又は
【０３６９】
【数１３２】
0006494639.tif 000133
【０３７０】
を設定する。その後に、ＵＥ１１６は、ステップ１４５０において、
【０３７１】
【数１３３】
0006494639.tif 000134
【０３７２】
であるかを判定し、そうであれば、ＵＥ１１６は、ＭｅＮＢ１０２及びＳｅＮＢ１０３のすべてに少なくとも同一のタイプの情報が送信される時に、
【０３７３】
【数１３４】
0006494639.tif 000135
【０３７４】
及び
【０３７５】
【数１３５】
0006494639.tif 000136
【０３７６】
を設定することにより
【０３７７】
【数１３６】
0006494639.tif 000137
【０３７８】
となるようにする。最後に、ステップ１４５０の後に、あるいは、ステップ１４２０又はステップ１４５０において、
【０３７９】
【数１３７】
0006494639.tif 000138
【０３８０】
である場合に、ＵＥ１１６は、ステップ１４６０において、
【０３８１】
【数１３８】
0006494639.tif 000139
【０３８２】
送信電力でチャネル又は信号をＭｅＮＢ１０２に送信し、
【０３８３】
【数１３９】
0006494639.tif 000140
【０３８４】
送信電力でチャネル又は信号をＳｅＮＢ１０３に送信する。
【０３８５】
第３の代案の変形において、ＳＦｉにおいて、ＵＥ１１６は、まず、ＭｅＮＢ１０２のような第２のｅＮＢに対する送信電力を第２のコンフィギュアド電力に減少させる前に、ＳｅＮＢ１０３のような第１のｅＮＢに対する送信電力を第１のコンフィギュアド電力に減少させることが、総送信電力が
【０３８６】
【数１４０】
0006494639.tif 000141
【０３８７】
の超過を防止するか否かを検査することができる。例えば、ＵＥ１１６は、まず、ＭｅＮＢ１０２への送信電力を
【０３８８】
【数１４１】
0006494639.tif 000142
【０３８９】
に減少させる前に（適用可能な場合に）、ＳｅＮＢへの送信電力を
【０３９０】
【数１４２】
0006494639.tif 000143
【０３９１】
に減少させることが、総送信電力が
【０３９２】
【数１４３】
0006494639.tif 000144
【０３９３】
より大きくなることを防止するか否かを検査することができる。まず、ＵＥ１１６が送信電力の減少を考慮するｅＮＢは、それぞれの情報タイプに対する優先順位に従って（同一のタイプの情報である場合にＭｅＮＢ１０２が優先される）予め決定されることができ（参照３及び参照７）、又は、例えば、非同期動作の場合に、より早い送信を優先するもののようなデュアル接続動作に対する構成と関連して構成されることができる。したがって、
【０３９４】
【数１４４】
0006494639.tif 000145
【０３９５】
、
【０３９６】
【数１４５】
0006494639.tif 000146
【０３９７】
、及び
【０３９８】
【数１４６】
0006494639.tif 000147
【０３９９】
である場合に、ＵＥ１１６は、ＳｅＮＢ１０３に対して
【０４００】
【数１４７】
0006494639.tif 000148
【０４０１】
を設定し、残りの電力をＭｅＮＢ１０２に割り当てる（
【０４０２】
【数１４８】
0006494639.tif 000149
【０４０３】
）。
【０４０４】
図１５は、本開示による第３の代案の変形に従ってＭｅＮＢに送信するＵＥアンテナからの送信電力及びＳｅＮＢに送信するＵＥアンテナからの送信電力に対する決定を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーンの処理回路により具現される。
【０４０５】
ＳＦｉにおいて、ＵＥ１１６は、ステップ１５１０において、それぞれのＵＬ電力制御プロセスに従って、ＭｅＮＢ１０２へのチャネル又は信号（ＰＵＣＣＨ、ＰＵＳＣＨ、ＰＲＡＣＨ、ＳＲＳのような信号）の送信のための電力
【０４０６】
【数１４９】
0006494639.tif 000150
【０４０７】
及びＳｅＮＢ１０３へのチャネル又は信号（ＰＵＣＣＨ、ＰＵＳＣＨ、ＰＲＡＣＨ、ＳＲＳのような信号）の送信のための電力
【０４０８】
【数１５０】
0006494639.tif 000151
【０４０９】
を決定する。その後に、ＵＥ１１６は、ステップ１５２０において、
【０４１０】
【数１５１】
0006494639.tif 000152
【０４１１】
であるか否かを判定する。
【０４１２】
【数１５２】
0006494639.tif 000153
【０４１３】
である場合に、ＵＥ１１６は、ステップ１５３０において、
【０４１４】
【数１５３】
0006494639.tif 000154
【０４１５】
であるか否かを判定し、そうであれば、ＵＥ１１６は、
【０４１６】
【数１５４】
0006494639.tif 000155
【０４１７】
であるように設定する。その後に、ＵＥ１１６は、ステップ１５３５において、
【０４１８】
【数１５５】
0006494639.tif 000156
【０４１９】
であるか否かを判定し、そうであれば、ＵＥ１１６は、ステップ１５４０において、
【０４２０】
【数１５６】
0006494639.tif 000157
【０４２１】
を設定する。その後に、
【０４２２】
【数１５７】
0006494639.tif 000158
【０４２３】
である場合に、ＵＥ１１６は、ステップ１５４５において、
【０４２４】
【数１５８】
0006494639.tif 000159
【０４２５】
であるか否かを判定し、そのような場合に、ＵＥ１１６は、ステップ１５５０において、ＭｅＮＢ１０２及びＳｅＮＢ１０３のすべてに少なくとも同一のタイプの情報が送信される時に、
【０４２６】
【数１５９】
0006494639.tif 000160
【０４２７】
及び
【０４２８】
【数１６０】
0006494639.tif 000161
【０４２９】
を設定することにより
【０４３０】
【数１６１】
0006494639.tif 000162
【０４３１】
となるようにする。最後に、ステップ１５５０の後に、又はステップ１５２０又はステップ１５３５又はステップ１５４５において、
【０４３２】
【数１６２】
0006494639.tif 000163
【０４３３】
である場合に、ＵＥ１１６は、ステップ１５６０において、
【０４３４】
【数１６３】
0006494639.tif 000164
【０４３５】
送信電力でチャネルをＭｅＮＢ１０２に送信し、
【０４３６】
【数１６４】
0006494639.tif 000165
【０４３７】
送信電力でチャネルをＳｅＮＢ１０３に送信する。
【０４３８】
ＳＦｉにおいて、ＵＥ１１６がＭｅＮＢ１０２によりサポートされる複数のセル及びＳｅＮＢ１０３によりサポートされる複数のセルでそれぞれＭｅＮＢ１０２及びＳｅＮＢ１０３にデータを送信する場合に、そして、
【０４３９】
【数１６５】
0006494639.tif 000166
【０４４０】
及び
【０４４１】
【数１６６】
0006494639.tif 000167
【０４４２】
とともに
【０４４３】
【数１６７】
0006494639.tif 000168
【０４４４】
である場合に、その複数のセルの各々に対する電力の割り当ては、
【０４４５】
【数１６８】
0006494639.tif 000169
【０４４６】
である場合に、ＵＥ１１６からのそれぞれの総送信電力が
【０４４７】
【数１６９】
0006494639.tif 000170
【０４４８】
又は
【０４４９】
【数１７０】
0006494639.tif 000171
【０４５０】
を超過しないようにしつつ、ＭｅＮＢ１０２（ＭｅＮＢセル）及びＳｅＮＢ１０３（ＳｅＮＢセル）に対して個別に実行されることができる。あるいは、ＵＥ１１６がＭｅＮＢ１０２により
【０４５１】
【数１７１】
0006494639.tif 000172
【０４５２】
及び
【０４５３】
【数１７２】
0006494639.tif 000173
【０４５４】
の値により構成されない場合に、ＵＥ１１６は、それぞれの送信電力を同一の値でスケーリングすることにより、それに従う総送信電力が
【０４５５】
【数１７３】
0006494639.tif 000174
【０４５６】
を超過しないようにすることにより（例えば、第１の代案の第２のアプローチ方式と同様に）、ＭｅＮＢ１０２及びＳｅＮＢ１０３の複数のセルのそれぞれへのデータ送信のための電力の割り当てを共同で実行することができる。
【０４５７】
方法２：ＭｅＮＢのための最小のＵＥ送信電力及びＳｅＮＢのための最小のＵＥ送信電力の設定
ＳＦｉに対して、ＵＥ１１６は、ＭｅＮＢ１０２によりＭｅＮＢ１０２への最小送信電力
【０４５８】
【数１７４】
0006494639.tif 000175
【０４５９】
及びＳｅＮＢ１０３への最小送信電力
【０４６０】
【数１７５】
0006494639.tif 000176
【０４６１】
が構成されることができる。
【０４６２】
【数１７６】
0006494639.tif 000177
【０４６３】
及び
【０４６４】
【数１７７】
0006494639.tif 000178
【０４６５】
を構成するものと関連して、ＭｅＮＢ１０２は、ＵＥ１１６に対してそれぞれの分数（比率）ｆＭｅＮＢ又はｆＳｅＮＢを構成することができ、ＵＥ１１６は、ＭｅＮＢ１０２に対する最小保証送信電力を
【０４６６】
【数１７８】
0006494639.tif 000179
【０４６７】
として導出し、ＳｅＮＢ１０３に対する最小保証送信電力を
【０４６８】
【数１７９】
0006494639.tif 000180
【０４６９】
として導出することができる。
【０４７０】
【数１８０】
0006494639.tif 000181
【０４７１】
及び
【０４７２】
【数１８１】
0006494639.tif 000182
【０４７３】
の機能に対する２種類の代案が考慮される。
【０４７４】
第１の代案において、
【０４７５】
【数１８２】
0006494639.tif 000183
【０４７６】
及び
【０４７７】
【数１８３】
0006494639.tif 000184
【０４７８】
は、ＭｅＮＢ１０２及びＳｅＮＢ１０３へのそれぞれの送信電力が（情報タイプに従う電力優先順位付けに無関係に）それを超過しては減少することができない下限として機能する。電力減少が
【０４７９】
【数１８４】
0006494639.tif 000185
【０４８０】
又は
【０４８１】
【数１８５】
0006494639.tif 000186
【０４８２】
となる場合に、送信電力は、それぞれ
【０４８３】
【数１８６】
0006494639.tif 000187
【０４８４】
又は
【０４８５】
【数１８７】
0006494639.tif 000188
【０４８６】
に設定され、残りの他のｅＮＢへの送信電力は、それぞれ
【０４８７】
【数１８８】
0006494639.tif 000189
【０４８８】
又は
【０４８９】
【数１８９】
0006494639.tif 000190
【０４９０】
となるように設定される。したがって、
【０４９１】
【数１９０】
0006494639.tif 000191
【０４９２】
である場合に、ＵＥ１１６からＭｅＮＢ１０２への電力の割り当ての優先順位付けに対して、
【０４９３】
【数１９１】
0006494639.tif 000192
【０４９４】
及び
【０４９５】
【数１９２】
0006494639.tif 000193
【０４９６】
となる。
図１６は、本開示によるＭｅＮＢへの送信のための保証電力
【０４９７】
【数１９３】
0006494639.tif 000194
【０４９８】
及びＳｅＮＢへの送信のための保証電力
【０４９９】
【数１９４】
0006494639.tif 000195
【０５００】
を用いてＳＦｉ内のＭｅＮＢに送信するＵＥアンテナからの送信電力及びＳｅＮＢに送信するＵＥアンテナからの送信電力に対する決定を示す図である。このフローチャートは、一連の順次的なステップを示しているが、明示的に言及されない限り、そのシーケンスから、実行の特定の順序と関連して、ステップの実行、ステップの一部の実行が、同時に、またはオーバーラッピングされるよりもむしろ、シリアルに行われるとか、割り込み又は中間ステップが発生することなく、示されたステップが実行されることに関する如何なる推論も導出されてはならない。説明された例に図示されたプロセスは、例えば、移動局内の送信器チェーンの処理回路により具現される。
【０５０１】
ＭｅＮＢ１０２は、ステップ１６１０において、ＳＦｉにおいて、ＭｅＮＢ１０２への送信のために使用可能な最小電力
【０５０２】
【数１９５】
0006494639.tif 000196
【０５０３】
及び
ＳｅＮＢ１０３への送信のために使用可能な最小電力
【０５０４】
【数１９６】
0006494639.tif 000197
【０５０５】
をＵＥ１１６に構成する。ＭｅＮＢ１０２へのチャネル又は信号の送信及びＳｅＮＢ１０３へのチャネル又は信号の送信のためのそれぞれの電力制御プロセスを使用して、ＵＥ１１６は、ステップ１６２０において、送信電力
【０５０６】
【数１９７】
0006494639.tif 000198
【０５０７】
及び送信電力
【０５０８】
【数１９８】
0006494639.tif 000199
【０５０９】
を決定する。ＵＥ１１６がＭｅＮＢ１０２への電力の割り当てを優先する場合に、ＵＥ１１６は、ステップ１６３０において、
【０５１０】
【数１９９】
0006494639.tif 000200
【０５１１】
であるか否かを検査し、そうであれば、ＵＥ１１６は、ステップ１６４０の
【０５１２】
【数２００】
0006494639.tif 000201
【０５１３】
及びステップ１６４５の
【０５１４】
【数２０１】
0006494639.tif 000202
【０５１５】
を設定する。最後に、ＵＥ１１６は、ステップ１６５０において、電力
【０５１６】
【数２０２】
0006494639.tif 000203
【０５１７】
を使用してＭｅＮＢ１０２への送信を行い、ステップ１６５５において、電力
【０５１８】
【数２０３】
0006494639.tif 000204
【０５１９】
を使用してＳｅＮＢ１０３への送信を行う。
第２の代案において、図１２又は図１４において、ＵＥ１１６が
【０５２０】
【数２０４】
0006494639.tif 000205
【０５２１】
又は
【０５２２】
【数２０５】
0006494639.tif 000206
【０５２３】
のように総送信電力を減少させるために、ＭｅＮＢ１０２への公称電力又はＳｅＮＢ１０３への公称電力をスケーリングした後に、それに従う送信電力が
【０５２４】
【数２０６】
0006494639.tif 000207
【０５２５】
又は
【０５２６】
【数２０７】
0006494639.tif 000208
【０５２７】
よりそれぞれ小さくなる場合には、対応する送信がドロップされ、使用可能なすべての電力が残りの送信に対する使用可能な電力として割り当てられる。
【０５２８】
【数２０８】
0006494639.tif 000209
【０５２９】
及び
【０５３０】
【数２０９】
0006494639.tif 000210
【０５３１】
の値に対する適切な設定がＭｅＮＢ１０２への減少された送信電力及びＳｅＮＢ１０３への減少された送信電力のすべてが
【０５３２】
【数２１０】
0006494639.tif 000211
【０５３３】
又は
【０５３４】
【数２１１】
0006494639.tif 000212
【０５３５】
より低い可能性につながってはいけないとしても、このようなことが発生する場合に、ＳｅＮＢ１０３への送信がドロップされることができる。これとは異なり、それぞれの送信に対する情報コンテンツの相対的な優先順位づけに基づいて、ＵＥ１１６は、ＭｅＮＢ１０２への送信をドロップするか、又はＳｅＮＢ１０３への送信をドロップするかを決定することができる。
【０５３６】
デュアル接続動作のためのＰＨＲ
ＭｅＮＢ１０２及びＳｅＮＢ１０３への送信のために、ＵＥ１１６がＳＦｉ内の最大電力
【０５３７】
【数２１２】
0006494639.tif 000213
【０５３８】
の超過の防止を容易にするように、デュアル接続動作のために、ＵＥ１１６は、ＭｅＮＢ１０２又はＳｅＮＢ１０３のような第１のｅＮＢに対する新たなＰＨＲタイプをＳｅＮＢ１０３又はＭｅＮＢ１０２のような第２のｅＮＢにそれぞれ報告することができる。第２のｅＮＢがＳＦｉ内のＵＥ１１６から第１のｅＮＢへのＰＵＳＣＨ送信（存在する場合）のような送信を認識できないこともあるので、ＵＥ１１６が実際にＳＦｉ内でＰＵＳＣＨを送信するか否かに無関係に、第２のｅＮＢの任意のサービングセルｃでＵＥ１１６がＳＦｉにおいてＰＵＳＣＨを送信しないものと仮定し、従来のＰＨＲタイプとは異なる第２のｅＮＢのための新たなＰＨＲタイプが定義される。また、ｅＮＢのセルごとに存在する従来のＰＨＲタイプとは異なり、新たなＰＨＲタイプは、ｅＮＢのすべてのサービングセルに対して結合されたＰＨＲであり、
【０５３９】
【数２１３】
0006494639.tif 000214
【０５４０】
として定義されることができ、ここで、ｃは、ｅＮＢのすべてのサービングセルにわたったインデックスであり、ＰＨｔｙｐｅ１，ｃ（ｉ）は、数式１で定義される。
これとは異なり、ｅＮＢの中で
【０５４１】
【数２１４】
0006494639.tif 000215
【０５４２】
の値の通信を防止するために、新たなＰＨＲタイプは、
【０５４３】
【数２１５】
0006494639.tif 000216
【０５４４】
（又は、
【０５４５】
【数２１６】
0006494639.tif 000217
【０５４６】
）のように、数式１に基づいて定義されることができる。あるいは、
【０５４７】
【数２１７】
0006494639.tif 000218
【０５４８】
である場合に、ＵＥ１１６は、ｅＮＢに対するＰＨＲに加えて、ｅＮＢに対する
【０５４９】
【数２１８】
0006494639.tif 000219
【０５５０】
を報告することもできる。ＵＥ１１６が新たなＰＨＲタイプを提供するように新たなＭＡＣ制御要素が定義されることができる。従来のＰＨＲタイプとは異なり、新たなＰＨＲタイプに対するトリガーは、経路損失の変更のみに基づくものでなく、ＵＥ１１６がどのくらい頻繁にそれぞれのｅＮＢ内でＰＵＳＣＨ送信を有するかに対する変化にも基づくことができる。例えば、ＵＥ１１６から第１のｅＮＢへの１つのフレーム内のＰＵＳＣＨ送信の数が所定のファクターだけ増加する場合に、ＵＥ１１６は、第２のｅＮＢへのＰＨＲ送信をトリガーすることができる。
【０５５１】
また、ＵＥ１１６は、第１のｅＮＢ又は第２のｅＮＢへのデータ送信に対するバッファ状態報告（ＢＳＲ）を提供することができる。ＢＳＲは、第２のｅＮＢが第１のｅＮＢでのＵＥ１１６に対するＰＵＳＣＨスケジューリングを予測し、それに従って可能である場合に、新たなＰＨＲと共に第１のｅＮＢに対するＵＥ１１６の総送信電力範囲を予測するようにすることができる。新たなＭＡＣ制御要素は、ＵＥ１１６がＭｅＮＢ１０２のような第２のｅＮＢにＳｅＮＢ１０３のような第１のｅＮＢの新たなＢＳＲタイプを提供するように定義されることができる。新たなＢＳＲタイプは、それぞれの第１のｅＮＢのすべてのサービングセルに対して結合されたＢＳＲであるか、又はＵＥが第１のｅＮＢのセルごとに有することができる暫定的な電力制限について第２のｅＮＢにより詳細な情報を提供するためにそれぞれの第１のｅＮＢのサービングセルの各々に対するＢＳＲを含むベクトルであり得る。
【０５５２】
本開示は、例示的な実施形態とともに説明されたが、様々な変形及び修正が可能であることは、当該技術分野における当業者には明らかである。本開示は、添付の特許請求の範囲内で上記のような変形及び修正を含む。
【符号の説明】
【０５５３】
１００  ネットワーク
１０１〜１０３  ｅＮＢ
１１１〜１１６  ＵＥ
１２０、１２５  カバレッジエリア
１３０  ネットワーク
２０５  ｅＮＢ又は他のＵＥにより送信された入力ＲＦ信号をアンテナ
２０５  アンテナ
２１０  ＲＦ送受信器
２１５  ＴＸ処理回路
２２０  マイクロフォン
２２５  ＲＸ処理回路
２３０  スピーカ
２４０  メインプロセッサ
２４５  出力（Ｉ／Ｏ）インターフェース
２５０  キーパッド
２５５  ディスプレイ
２６０  メモリ
３０５  多重アンテナ
３１０  多重ＲＦ送受信器
３１５  ＴＸ処理回路
３２０  ＲＸ処理回路
３２５  プロセッサ
３３０  メモリ
３３５  バックホール／ネットワークインターフェース
７１０  ＵＥ
７２０  ＭｅＮＢ
７５０  ＳｅＮＢ
【図１】
0006494639.tif 000220
【図２】
0006494639.tif 000221
【図３】
0006494639.tif 000222
【図４】
0006494639.tif 000223
【図５】
0006494639.tif 000224
【図６】
0006494639.tif 000225
【図７】
0006494639.tif 000226
【図８】
0006494639.tif 000227
【図９】
0006494639.tif 000228
【図１０】
0006494639.tif 000229
【図１１】
0006494639.tif 000230
【図１２】
0006494639.tif 000231
【図１３】
0006494639.tif 000232
【図１４】
0006494639.tif 000233
【図１５】
0006494639.tif 000234
【図１６】
0006494639.tif 000235